(57)【要約】【課題】電力供給が抑制される確度を向上させることが可能な施設側装置、電力管理装置、電力管理システム、電力管理方法および電力管理プログラムを提供する。【解決手段】  施設側装置は、発電装置の設けられた施設において用いられる施設側装置であって、前記発電装置を用いた電力供給の抑制内容の複数の候補を示す抑制内容情報を取得する抑制内容情報取得部と、前記抑制内容情報取得部によって取得された前記抑制内容情報の示す複数の候補の選択結果を示す応答情報を通知する応答情報通知部とを備える。【選択図】図７
2017201847.tif 000002
【特許請求の範囲】
【請求項１】
発電装置の設けられた施設において用いられる施設側装置であって、
前記発電装置を用いた電力供給の抑制内容の複数の候補を示す抑制内容情報を取得する抑制内容情報取得部と、
前記抑制内容情報取得部によって取得された前記抑制内容情報の示す複数の候補の選択結果を示す応答情報を通知する応答情報通知部とを備える、施設側装置。
【請求項２】
前記抑制内容情報取得部は、複数の前記候補をまとめて示す抑制内容情報を取得する、請求項１に記載の施設側装置。
【請求項３】
前記抑制内容情報取得部は、前記複数の候補の一部を示す抑制内容情報を取得し、
前記応答情報通知部は、前記抑制内容情報の示す前記一部の候補の選択結果を示す応答情報を通知し、
前記抑制内容情報取得部は、前記応答情報が通知された後、前記応答情報に対応する前記候補とは異なる前記候補を少なくとも示す前記抑制内容情報を取得する、請求項１に記載の施設側装置。
【請求項４】
前記抑制内容情報取得部は、前記候補ごとに異なる識別子を含む前記抑制内容情報を取得する、請求項１から請求項３のいずれか１項に記載の施設側装置。
【請求項５】
前記抑制内容情報取得部は、前記施設における電力供給の抑制に対して与えられる対価について、異なる前記対価が与えられる複数の前記候補を示す前記抑制内容情報を取得する、請求項１から請求項４のいずれか１項に記載の施設側装置。
【請求項６】
前記抑制内容情報取得部は、前記施設における異なる機器を前記電力供給の抑制対象とする複数の前記候補を示す前記抑制内容情報を取得する、請求項１から請求項５のいずれか１項に記載の施設側装置。
【請求項７】
前記抑制内容の種類は、前記発電装置の発電の抑制、前記発電装置の発電電力の消費、および前記発電装置の発電電力の蓄電のうちの少なくともいずれか１つである、請求項１から請求項６のいずれか１項に記載の施設側装置。
【請求項８】
発電装置の設けられた施設における電力供給を管理する電力管理装置であって、
前記発電装置を用いた電力供給の抑制内容の複数の候補を示す抑制内容情報を作成する抑制内容情報作成部と、
前記抑制内容情報作成部によって作成された前記抑制内容情報を通知する抑制内容情報通知部とを備える、電力管理装置。
【請求項９】
発電装置の設けられた施設における電力供給を管理する電力管理装置と、
前記施設において用いられる施設側装置とを備え、
前記電力管理装置は、前記施設における電力供給の抑制内容の複数の候補を示す抑制内容情報を前記施設側装置へ送信し、
前記施設側装置は、前記抑制内容情報を前記電力管理装置から受信し、受信した前記抑制内容情報の示す複数の候補の選択結果を示す応答情報を前記電力管理装置へ送信する、電力管理システム。
【請求項１０】
発電装置の設けられた施設において用いられる施設側装置における電力管理方法であって、
前記発電装置を用いた電力供給の抑制内容の複数の候補を示す抑制内容情報を取得するステップと、
取得した前記抑制内容情報の示す複数の候補の選択結果を示す応答情報を通知するステップとを含む、電力管理方法。
【請求項１１】
発電装置の設けられた施設における電力供給を管理する電力管理装置における電力管理方法であって、
前記発電装置を用いた電力供給の抑制内容の複数の候補を示す抑制内容情報を作成するステップと、
作成した前記抑制内容情報を通知するステップとを含む、電力管理方法。
【請求項１２】
発電装置の設けられた施設における電力供給を管理する電力管理装置と、
前記施設において用いられる施設側装置とを備える電力管理システムにおける電力管理方法であって、
前記電力管理装置が、前記発電装置を用いた電力供給の抑制内容の複数の候補を示す抑制内容情報を前記施設側装置へ送信するステップと、
前記施設側装置が、前記抑制内容情報を前記電力管理装置から受信し、受信した前記抑制内容情報の示す複数の候補の選択結果を示す応答情報を前記電力管理装置へ送信するステップとを含む、電力管理方法。
【請求項１３】
発電装置の設けられた施設において用いられる施設側装置において用いられる電力管理プログラムであって、
コンピュータを、
前記発電装置を用いた電力供給の抑制内容の複数の候補を示す抑制内容情報を取得する抑制内容情報取得部と、
前記抑制内容情報取得部によって取得された前記抑制内容情報の示す複数の候補の選択結果を示す応答情報を通知する応答情報通知部と、
として機能させるための、電力管理プログラム。
【請求項１４】
発電装置の設けられた施設における電力供給を管理する電力管理装置において用いられる電力管理プログラムであって、
コンピュータを、
前記発電装置を用いた電力供給の抑制内容の複数の候補を示す抑制内容情報を作成する抑制内容情報作成部と、
前記抑制内容情報作成部によって作成された前記抑制内容情報を通知する抑制内容情報通知部と、
として機能させるための、電力管理プログラム。
【発明の詳細な説明】
【技術分野】
【０００１】
本発明は、施設側装置、電力管理装置、電力管理システム、電力管理方法および電力管理プログラムに関する。
【背景技術】
【０００２】
たとえば、九州電力株式会社、”出力制御ルール、出力制御見通し算定の考え方について”、［ｏｎｌｉｎｅ］、平成２７年２月１７日、総合資源エネルギー調査会  省エネルギー・新エネルギー分科会  新エネルギー小委員会  系統ワーキンググループ（第４回）配布資料、ｐ．１５、［平成２８年４月６日検索］、インターネット〈ＵＲＬ：ｈｔｔｐ：／／ｗｗｗ．ｍｅｔｉ．ｇｏ．ｊｐ／ｃｏｍｍｉｔｔｅｅ／ｓｏｕｇｏｕｅｎｅｒｇｙ／ｓｈｏｅｎｅ＿ｓｈｉｎｅｎｅ／ｓｈｉｎ＿ｅｎｅ／ｋｅｉｔｏｕ＿ｗｇ／ｐｄｆ／００４＿０３＿００．ｐｄｆ〉（非特許文献１）には、再生可能エネルギー発電事業者からの発電電力の出力制御方法が記載されている。
【０００３】
たとえば、一般電気事業者は、出力制御実施日の当日の日射量想定値に基づいて出力制御必要量を決定する。ここで、日射量想定値は、たとえば、出力制御実施日の前日の１０時に気象会社から発表される。一般電気事業者は、たとえば、決定した出力制御必要量に基づいて出力制御指示を作成し、出力制御実施日の前日の夕方に当該出力制御指示を対象となる再生可能エネルギー発電事業者に通知する。
【０００４】
また、近年、再生可能エネルギーの固定価格買取制度を定めた特別措置法の一部が改正された。具体的には、太陽光発電および風力発電に対する出力制御のルールが変更され、制御の対象となる範囲が広がった。
【先行技術文献】
【非特許文献】
【０００５】
【非特許文献１】九州電力株式会社、”出力制御ルール、出力制御見通し算定の考え方について”、［ｏｎｌｉｎｅ］、平成２７年２月１７日、総合資源エネルギー調査会  省エネルギー・新エネルギー分科会  新エネルギー小委員会  系統ワーキンググループ（第４回）配布資料、ｐ．１５、［平成２８年４月６日検索］、インターネット〈ＵＲＬ：ｈｔｔｐ：／／ｗｗｗ．ｍｅｔｉ．ｇｏ．ｊｐ／ｃｏｍｍｉｔｔｅｅ／ｓｏｕｇｏｕｅｎｅｒｇｙ／ｓｈｏｅｎｅ＿ｓｈｉｎｅｎｅ／ｓｈｉｎ＿ｅｎｅ／ｋｅｉｔｏｕ＿ｗｇ／ｐｄｆ／００４＿０３＿００．ｐｄｆ〉
【発明の概要】
【発明が解決しようとする課題】
【０００６】
しかしながら、電力供給の抑制に関する指示が一般電気事業者から発電事業者へ通知された場合であっても、当該指示に従って電力供給を抑制することが発電事業者にとって都合の悪い場合もある。このような場合、当該指示に応じた内容の電力供給の抑制が行われなくなり、電力の需要と供給のバランスを安定させることができないことがある。
【０００７】
この発明は、上述の課題を解決するためになされたもので、その目的は、電力供給が抑制される確度を向上させることが可能な施設側装置、電力管理装置、電力管理システム、電力管理方法および電力管理プログラムを提供することである。
【課題を解決するための手段】
【０００８】
（１）上記課題を解決するために、この発明のある局面に係わる施設側装置は、発電装置の設けられた施設において用いられる施設側装置であって、上記発電装置を用いた電力供給の抑制内容の複数の候補を示す抑制内容情報を取得する抑制内容情報取得部と、上記抑制内容情報取得部によって取得された上記抑制内容情報の示す複数の候補の選択結果を示す応答情報を通知する応答情報通知部とを備える。
【０００９】
（８）上記課題を解決するために、この発明のある局面に係わる電力管理装置は、発電装置の設けられた施設における電力供給を管理する電力管理装置であって、上記発電装置を用いた電力供給の抑制内容の複数の候補を示す抑制内容情報を作成する抑制内容情報作成部と、上記抑制内容情報作成部によって作成された上記抑制内容情報を通知する抑制内容情報通知部とを備える。
【００１０】
（９）上記課題を解決するために、この発明のある局面に係わる電力管理システムは、発電装置の設けられた施設における電力供給を管理する電力管理装置と、上記施設において用いられる施設側装置とを備え、上記電力管理装置は、上記施設における電力供給の抑制内容の複数の候補を示す抑制内容情報を上記施設側装置へ送信し、上記施設側装置は、上記抑制内容情報を上記電力管理装置から受信し、受信した上記抑制内容情報の示す複数の候補の選択結果を示す応答情報を上記電力管理装置へ送信する。
【００１１】
（１０）上記課題を解決するために、この発明のある局面に係わる電力管理方法は、発電装置の設けられた施設において用いられる施設側装置における電力管理方法であって、上記発電装置を用いた電力供給の抑制内容の複数の候補を示す抑制内容情報を取得するステップと、取得した上記抑制内容情報の示す複数の候補の選択結果を示す応答情報を通知するステップとを含む。
【００１２】
（１１）上記課題を解決するために、この発明の別の局面に係わる電力管理方法は、発電装置の設けられた施設における電力供給を管理する電力管理装置における電力管理方法であって、上記発電装置を用いた電力供給の抑制内容の複数の候補を示す抑制内容情報を作成するステップと、作成した上記抑制内容情報を通知するステップとを含む。
【００１３】
（１２）上記課題を解決するために、この発明の別の局面に係わる電力管理方法は、発電装置の設けられた施設における電力供給を管理する電力管理装置と、上記施設において用いられる施設側装置とを備える電力管理システムにおける電力管理方法であって、上記電力管理装置が、上記発電装置を用いた電力供給の抑制内容の複数の候補を示す抑制内容情報を上記施設側装置へ送信するステップと、上記施設側装置が、上記抑制内容情報を上記電力管理装置から受信し、受信した上記抑制内容情報の示す複数の候補の選択結果を示す応答情報を上記電力管理装置へ送信するステップとを含む。
【００１４】
（１３）上記課題を解決するために、この発明のある局面に係わる電力管理プログラムは、発電装置の設けられた施設において用いられる施設側装置において用いられる電力管理プログラムであって、コンピュータを、上記発電装置を用いた電力供給の抑制内容の複数の候補を示す抑制内容情報を取得する抑制内容情報取得部と、上記抑制内容情報取得部によって取得された上記抑制内容情報の示す複数の候補の選択結果を示す応答情報を通知する応答情報通知部と、として機能させるためのプログラムである。
【００１５】
（１４）上記課題を解決するために、この発明の別の局面に係わる電力管理プログラムは、発電装置の設けられた施設における電力供給を管理する電力管理装置において用いられる電力管理プログラムであって、コンピュータを、上記発電装置を用いた電力供給の抑制内容の複数の候補を示す抑制内容情報を作成する抑制内容情報作成部と、上記抑制内容情報作成部によって作成された上記抑制内容情報を通知する抑制内容情報通知部と、として機能させるためのプログラムである。
【００１６】
本発明は、このような特徴的な処理部を備える施設側装置として実現できるだけでなく、施設側装置の一部または全部を実現する半導体集積回路として実現することができる。
【００１７】
また、本発明は、このような特徴的な処理部を備える電力管理装置として実現できるだけでなく、電力管理装置の一部または全部を実現する半導体集積回路として実現することができる。
【００１８】
また、本発明は、このような特徴的な処理部を備える電力管理システムとして実現できるだけでなく、電力管理システムの一部または全部を実現する半導体集積回路として実現することができる。
【００１９】
また、本発明は、このような特徴的な処理部を備える電力管理システムとして実現できるだけでなく、かかる特徴的なステップをコンピュータに実行させるためのプログラムとして実現することができる。
【発明の効果】
【００２０】
本発明によれば、電力供給が抑制される確度を向上させることができる。
【図面の簡単な説明】
【００２１】
【図１】図１は、本発明の第１の実施の形態に係る電力管理システムの構成を示す図である。
【図２】図２は、本発明の第１の実施の形態に係る電力管理システムの適用例を示す図である。
【図３】図３は、本発明の第１の実施の形態に係る電力管理システムにおける電力管理装置の構成を示す図である。
【図４】図４は、本発明の第１の実施の形態に係る電力管理装置における最適化部が作成する、各発電施設に与えるべき抑制内容の候補の一例を示す図である。
【図５】図５は、本発明の第１の実施の形態に係る電力管理装置における効果情報作成部が作成する、各発電施設に与えるべき抑制内容の候補に対応する効果情報の一例を示す図である。
【図６】図６は、本発明の第１の実施の形態に係る電力管理装置における候補情報作成部が作成する候補情報の一例を示す図である。
【図７】図７は、本発明の第１の実施の形態に係る電力管理システムにおける発電制御装置の構成を示す図である。
【図８】図８は、本発明の第１の実施の形態に係る電力管理システムにおける端末装置の構成を示す図である。
【図９】図９は、本発明の第１の実施の形態に係る電力管理システムの端末装置において表示される画面の一例を示す図である。
【図１０】図１０は、本発明の第１の実施の形態に係る各発電施設における電力の供給量の一例を示す図である。
【図１１】図１１は、本発明の第１の実施の形態に係る電力管理システムにおける電力供給の抑制処理のシーケンスの一例を示す図である。
【図１２】図１２は、本発明の第１の実施の形態に係る電力管理システムにおける候補選択処理のシーケンスの一例を示す図である。
【図１３】図１３は、本発明の第１の実施の形態に係る電力管理システムにおける候補画面情報の取得処理のシーケンスの一例を示す図である。
【図１４】図１４は、本発明の第１の実施の形態に係る電力管理システムの端末装置において表示される画面の一例を示す図である。
【図１５】図１５は、本発明の第２の実施の形態に係る電力管理システムにおける電力管理装置の構成を示す図である。
【図１６】図１６は、本発明の第２の実施の形態に係る電力管理システムにおける発電制御装置の構成を示す図である。
【図１７】図１７は、本発明の第２の実施の形態に係る電力管理装置における候補情報作成部が作成する候補情報の一例を示す図である。
【図１８】図１８は、本発明の第２の実施の形態に係る電力管理システムの端末装置において表示される画面の一例を示す図である。
【図１９】図１９は、本発明の第２の実施の形態に係る電力管理システムにおける候補選択処理のシーケンスの一例を示す図である。
【図２０】図２０は、本発明の第３の実施の形態に係る電力管理システムにおける電力管理装置の構成を示す図である。
【図２１】図２１は、本発明の第３の実施の形態に係る電力管理システムにおける発電制御装置の構成を示す図である。
【図２２】図２２は、本発明の第３の実施の形態に係る電力管理システムにおける候補選択処理のシーケンスの一例を示す図である。
【発明を実施するための形態】
【００２２】
最初に、本発明の実施形態の内容を列記して説明する。
【００２３】
（１）本発明の実施の形態に係る施設側装置は、発電装置の設けられた施設において用いられる施設側装置であって、上記発電装置を用いた電力供給の抑制内容の複数の候補を示す抑制内容情報を取得する抑制内容情報取得部と、上記抑制内容情報取得部によって取得された上記抑制内容情報の示す複数の候補の選択結果を示す応答情報を通知する応答情報通知部とを備える。
【００２４】
このような構成により、発電装置の設けられた施設（以下、発電施設とも称する）の管理者が、複数の電力供給の抑制内容の中から自己に都合のよい抑制内容を選択することができる。これにより、電力供給の抑制への参加を促進させ、電力供給が抑制される確度を向上させることができる。
【００２５】
（２）好ましくは、上記抑制内容情報取得部は、複数の上記候補をまとめて示す抑制内容情報を取得する。
【００２６】
このような構成により、たとえば、選択しなかった候補を再度取得して選択することができないシステムにおいても、複数の候補を一度に取得して発電施設の管理者にとって都合のよい抑制内容を選択することができる。これにより、電力供給の抑制への参加をより促進させることができる。
【００２７】
（３）好ましくは、上記抑制内容情報取得部は、上記複数の候補の一部を示す抑制内容情報を取得し、上記応答情報通知部は、上記抑制内容情報の示す上記一部の候補の選択結果を示す応答情報を通知し、上記抑制内容情報取得部は、上記応答情報が通知された後、上記応答情報に対応する上記候補とは異なる上記候補を少なくとも示す上記抑制内容情報を取得する。
【００２８】
このような構成により、前回取得された候補に新たな候補を加えた情報を取得することができるため、たとえば、選択しなかった候補を再度取得して選択することができないシステムにおいても、新たな候補を含む複数の候補を取得して発電施設の管理者にとって都合のよい抑制内容を選択することができる。これにより、電力供給の抑制への参加をより促進させることができる。
【００２９】
（４）好ましくは、上記抑制内容情報取得部は、上記候補ごとに異なる識別子を含む上記抑制内容情報を取得する。
【００３０】
このような構成により、複数の候補のうち、同じ抑制内容の候補であるか、または異なる抑制内容の候補であるかを簡易な処理で判別することができる。
【００３１】
（５）好ましくは、上記抑制内容情報取得部は、上記施設における電力供給の抑制に対して与えられる対価について、異なる上記対価が与えられる複数の上記候補を示す上記抑制内容情報を取得する。
【００３２】
このような構成により、取得した複数の候補の中から、都合のよい抑制内容を対価の観点から選択することができる。
【００３３】
（６）好ましくは、上記抑制内容情報取得部は、上記施設における異なる機器を上記電力供給の抑制対象とする複数の上記候補を示す上記抑制内容情報を取得する。
【００３４】
このような構成により、取得した複数の候補の中から、都合のよい抑制内容を機器の選択の観点から選択することができる。
【００３５】
（７）好ましくは、上記抑制内容の種類は、上記発電装置の発電の抑制、上記発電装置の発電電力の消費、および上記発電装置の発電電力の蓄電のうちの少なくともいずれか１つである。
【００３６】
このような構成により、発電施設から外部への電力供給を適切な方法によって効果的に抑制することができる。
【００３７】
（８）本発明の実施の形態に係る電力管理装置は、発電装置の設けられた施設における電力供給を管理する電力管理装置であって、上記発電装置を用いた電力供給の抑制内容の複数の候補を示す抑制内容情報を作成する抑制内容情報作成部と、上記抑制内容情報作成部によって作成された上記抑制内容情報を通知する抑制内容情報通知部とを備える。
【００３８】
このような構成により、電力供給の抑制内容について複数の候補をたとえば施設側装置へ送信することで、発電施設の管理者は、都合のよい抑制内容を当該複数の候補の中から選択することができる。これにより、電力供給の抑制への参加を促進させ、電力供給が抑制される確度を向上させることができる。
【００３９】
（９）本発明の実施の形態に係る電力管理システムは、発電装置の設けられた施設における電力供給を管理する電力管理装置と、上記施設において用いられる施設側装置とを備え、上記電力管理装置は、上記施設における電力供給の抑制内容の複数の候補を示す抑制内容情報を上記施設側装置へ送信し、上記施設側装置は、上記抑制内容情報を上記電力管理装置から受信し、受信した上記抑制内容情報の示す複数の候補の選択結果を示す応答情報を上記電力管理装置へ送信する。
【００４０】
このような構成により、発電施設の管理者が、複数の電力供給の抑制内容の中から自己に都合のよい抑制内容を選択することができる。これにより、電力供給の抑制への参加を促進させ、電力供給が抑制される確度を向上させることができる。
【００４１】
（１０）本発明の実施の形態に係る電力管理方法は、発電装置の設けられた施設において用いられる施設側装置における電力管理方法であって、上記発電装置を用いた電力供給の抑制内容の複数の候補を示す抑制内容情報を取得するステップと、取得した上記抑制内容情報の示す複数の候補の選択結果を示す応答情報を通知するステップとを含む。
【００４２】
これにより、発電施設の管理者が、複数の電力供給の抑制内容の中から自己に都合のよい抑制内容を選択することができる。これにより、電力供給の抑制への参加を促進させ、電力供給が抑制される確度を向上させることができる。
【００４３】
（１１）本発明の実施の形態に係る電力管理方法は、発電装置の設けられた施設における電力供給を管理する電力管理装置における電力管理方法であって、上記発電装置を用いた電力供給の抑制内容の複数の候補を示す抑制内容情報を作成するステップと、作成した上記抑制内容情報を通知するステップとを含む。
【００４４】
これにより、電力供給の抑制内容について複数の候補をたとえば施設側装置へ送信することで、発電施設の管理者は、都合のよい抑制内容を当該複数の候補の中から選択することができる。これにより、電力供給の抑制への参加を促進させ、電力供給が抑制される確度を向上させることができる。
【００４５】
（１２）本発明の実施の形態に係る電力管理方法は、発電装置の設けられた施設における電力供給を管理する電力管理装置と、上記施設において用いられる施設側装置とを備える電力管理システムにおける電力管理方法であって、上記電力管理装置が、上記発電装置を用いた電力供給の抑制内容の複数の候補を示す抑制内容情報を上記施設側装置へ送信するステップと、上記施設側装置が、上記抑制内容情報を上記電力管理装置から受信し、受信した上記抑制内容情報の示す複数の候補の選択結果を示す応答情報を上記電力管理装置へ送信するステップとを含む。
【００４６】
これにより、発電施設の管理者が、複数の電力供給の抑制内容の中から自己に都合のよい抑制内容を選択することができる。これにより、電力供給の抑制への参加を促進させ、電力供給が抑制される確度を向上させることができる。
【００４７】
（１３）本発明の実施の形態に係る電力管理プログラムは、発電装置の設けられた施設において用いられる施設側装置において用いられる電力管理プログラムであって、コンピュータを、上記発電装置を用いた電力供給の抑制内容の複数の候補を示す抑制内容情報を取得する抑制内容情報取得部と、上記抑制内容情報取得部によって取得された上記抑制内容情報の示す複数の候補の選択結果を示す応答情報を通知する応答情報通知部と、として機能させるためのプログラムである。
【００４８】
これにより、発電施設の管理者が、複数の電力供給の抑制内容の中から自己に都合のよい抑制内容を選択することができる。これにより、電力供給の抑制への参加を促進させ、電力供給が抑制される確度を向上させることができる。
【００４９】
（１４）本発明の実施の形態に係る電力管理プログラムは、発電装置の設けられた施設における電力供給を管理する電力管理装置において用いられる電力管理プログラムであって、コンピュータを、上記発電装置を用いた電力供給の抑制内容の複数の候補を示す抑制内容情報を作成する抑制内容情報作成部と、上記抑制内容情報作成部によって作成された上記抑制内容情報を通知する抑制内容情報通知部と、として機能させるためのプログラムである。
【００５０】
これにより、電力供給の抑制内容について複数の候補をたとえば施設側装置へ送信することで、発電施設の管理者は、都合のよい抑制内容を当該複数の候補の中から選択することができる。これにより、電力供給の抑制への参加を促進させ、電力供給が抑制される確度を向上させることができる。
【００５１】
以下、本発明の実施の形態について図面を用いて説明する。なお、図中同一または相当部分には同一符号を付してその説明は繰り返さない。また、以下に記載する実施の形態の少なくとも一部を任意に組み合わせてもよい。
【００５２】
＜第１の実施の形態＞
［構成および基本動作］
図１は、本発明の第１の実施の形態に係る電力管理システムの構成を示す図である。
【００５３】
図１を参照して、電力管理システム３０１は、電力管理装置１０１と、表示装置１１１と、データベース１６１と、系統側管理装置１５１と、発電制御装置（施設側装置）２０２Ａ，２０２Ｂ，２０２Ｃと、３つの端末装置１７１と、３つの発電装置２０３と、９つの電力関連機器２０４とを備える。
【００５４】
以下、発電制御装置２０２Ａ，２０２Ｂ，２０２Ｃの各々を、発電制御装置２０２とも称する。また、発電装置２０３および電力関連機器２０４の各々を機器Ｅとも称する。
【００５５】
図１では、３つの発電制御装置２０２を代表的に示しているが、さらに多数または少数の発電制御装置２０２が設けられてもよい。また、発電制御装置２０２に対応して１つの発電装置２０３が設けられているが、複数の発電装置２０３が１つの発電制御装置２０２に対応して設けられてもよい。
【００５６】
また、発電制御装置２０２に対応して３つの電力関連機器２０４が設けられているが、１つの発電制御装置２０２に対応してさらに多数または少数の電力関連機器２０４が設けられてもよい。また、発電制御装置２０２に対応して１つの端末装置１７１を代表的に示しているが、さらに多数または少数の端末装置１７１が発電制御装置２０２に対応して設けられてもよい。
【００５７】
電力管理システム３０１では、たとえば、電力供給が電力需要を上回る場合、または電力給量が電力需要を上回るおそれがある場合において、電力供給を抑制することが可能である。
【００５８】
また、電力管理システム３０１では、たとえば、発電装置２０３の設けられた発電施設の管理者が、複数の電力供給の抑制内容の中から自己に都合のよい抑制内容を選択することが可能な発電抑制リコメンデーション機能が実現される。これにより、電力供給が抑制される確度を向上させることができる。
【００５９】
より詳細には、電力管理システム３０１における発電制御装置２０２と、複数の機器Ｅと、端末装置１７１とは、たとえば、太陽光発電所および風力発電所等の発電施設に設けられ、発電事業者により運用される。なお、発電施設には、発電装置２０３を備えたビル、工場または一般家庭も含まれる。
【００６０】
発電装置２０３は、たとえば太陽光発電装置または風力発電装置であり、再生可能エネルギーから電気を生成する。電力関連機器２０４は、たとえば、ヒートポンプ、空調機、蓄電池またはＥＶ（Ｅｌｅｃｔｒｉｃ  Ｖｅｈｉｃｌｅ）である。
【００６１】
発電制御装置２０２は、発電施設ごとに１つ設けられてもよいし、発電施設ごとに複数設けられてもよい。発電制御装置２０２は、たとえば、ＰＣＳ（Ｐｏｗｅｒ  Ｃｏｎｄｉｔｉｏｎｉｎｇ  Ｓｙｓｔｅｍ）である。発電制御装置２０２は、発電施設において機器Ｅを制御することにより、発電施設から外部へ供給される電力の供給量を抑制する。
【００６２】
具体的には、発電制御装置２０２は、たとえば、発電装置２０３を制御して、発電装置２０３の電力の出力量を抑制する。また、発電制御装置２０２は、たとえば、ヒートポンプを制御して、発電装置２０３の発電電力を発電施設内において消費させる。また、発電制御装置２０２は、たとえば、空調機を制御して、発電装置２０３の発電電力を発電施設内において消費させる。また、発電制御装置２０２は、たとえば、蓄電池またはＥＶを制御して、発電装置２０３の発電電力を発電施設内において充電させる。
【００６３】
なお、発電制御装置２０２は、電力供給の抑制内容の複数の候補を示す抑制内容情報を取得し、取得した抑制内容情報の示す複数の候補の選択結果を示す応答情報を通知するものであれば、機器Ｅの制御を直接行うものでなくてもよい。すなわち、発電制御装置２０２は、たとえば、抑制内容に従って機器Ｅの制御を行うように他の装置に指示するものであってもよい。
【００６４】
系統側管理装置１５１は、電力系統側である電力会社または系統運用会社等の一般電気事業者によって運用され、電力供給の抑制内容に関する電力管理情報を電力管理装置１０１へ送信する。
【００６５】
ここで、電力管理情報には、たとえば、電力供給を抑制する期間（以下、抑制期間とも称する。）の開始タイミングおよび抑制期間の長さ、ならびに電力供給の抑制量および電力供給の抑制を行う対象エリア等が含まれる。
【００６６】
なお、電力管理情報には、抑制期間の長さの代わりに抑制期間の終了タイミングが含まれていてもよい。また、対象エリアは、たとえば、都道府県または市町村等の行政区画で定められるエリアであってもよいし、系統の送電網に基づくエリアであってもよい。
【００６７】
電力管理装置１０１は、たとえばアグリゲータ等の配信事業者によって運用され、１または複数の発電制御装置２０２と通信を行なうことにより、発電施設における電力供給を管理する。
【００６８】
なお、電力管理装置１０１は、一般電気事業者によって運用されてもよい。すなわち、一般電気事業者が、配信事業者を経由することなく発電施設における電力供給を直接管理してもよい。たとえば、電力管理装置１０１が系統側管理装置１５１に含まれてもよい。
【００６９】
また、電力管理装置１０１は、たとえば、電力供給の抑制に関する内容を決定するための画面を表示装置１１１に表示する制御を行う。
【００７０】
たとえば、電力管理装置１０１は、系統側管理装置１５１から電力管理情報を受信すると、受信した電力管理情報に基づいて、発電施設における発電供給の抑制内容の複数の候補を示す抑制内容情報を１または複数の発電制御装置２０２へ送信する。
【００７１】
ここで、抑制内容の種類は、たとえば、発電装置２０３を抑制対象とする発電の抑制、電力関連機器２０４を抑制対象とする発電装置２０３の発電電力の消費、および電力関連機器２０４を抑制対象とする発電装置２０３の発電電力の蓄電のうちの少なくともいずれか１つである。また、抑制内容情報は、１回で送信されてもよいし、また、複数回に分割して送信されてもよい。
【００７２】
より詳細には、電力管理装置１０１は、たとえば、電力管理情報に基づいて、電力供給の抑制期間および電力供給の抑制量を満たすような抑制内容の複数の候補を作成し、作成した複数の候補を示す抑制内容情報を１または複数の発電制御装置２０２へ通知する。これら複数の候補は、たとえば発電施設ごとにカスタマイズされる。
【００７３】
発電制御装置２０２は、抑制内容情報を電力管理装置１０１から受信し、受信した抑制内容情報の示す複数の候補の中から選択された選択結果を示す応答情報を電力管理装置１０１へ送信する。より詳細には、発電制御装置２０２は、抑制内容情報に基づいて発電施設における電力供給の抑制内容の複数の候補を示す画面の情報を生成し、生成した画面の情報をたとえば端末装置１７１へ送信する。
【００７４】
端末装置１７１は、たとえば、発電制御装置２０２から画面の情報を受信すると、受信した画面の情報を用いて画面を表示する。なお、端末装置１７１は、画面の情報を電力管理装置１０１から受信してもよい。
【００７５】
たとえば、端末装置１７１を操作する管理者は、画面の表示を見て自己の都合に合う電力供給の抑制内容を選択する。端末装置１７１は、管理者により選択された抑制内容を示す選択結果情報を発電制御装置２０２へ送信する。
【００７６】
発電制御装置２０２は、端末装置１７１から選択結果情報を受信すると、受信した選択結果情報に基づいて応答情報を作成し、作成した応答情報を電力管理装置１０１へ送信する。
【００７７】
［電力管理システムの適用例］
図２は、本発明の第１の実施の形態に係る電力管理システムの適用例を示す図である。
【００７８】
図２を参照して、一般電気事業者の施設には、たとえばサーバである系統側管理装置１５１と、データベース（ＤＢ）１６２とが設けられている。配信事業者の施設には、たとえば電力管理装置１０１と、データベース１６１とが設けられている。各発電施設には、たとえば計測装置および制御装置の機能を有する発電制御装置２０２と、端末装置１７１と、電力メータ１８１と、電流センサ１８２と、センサ１８３と、電力関連機器２０４とが設けられている。
【００７９】
系統側管理装置１５１は、データベース１６２に保存された情報等に基づいて、電力管理情報を電力管理装置１０１へ送信する。電力管理装置１０１は、系統側管理装置１５１から受信した電力管理情報、およびデータベース１６１に保存された各種情報等に基づいて抑制内容情報を作成し、作成した抑制内容情報を１または複数の発電制御装置２０２へ送信する。
【００８０】
発電制御装置２０２は、電力管理装置１０１から受信した抑制内容情報の示す複数の候補の中から管理者によって選択された１または複数の候補に基づいて、１または複数の機器Ｅを制御する。
【００８１】
具体的には、たとえば、発電制御装置２０２は、発電装置２０３である太陽光発電装置を制御することにより電力の出力量を定格の５０％まで抑制させる。または、発電制御装置２０２は、たとえば、電力関連機器２０４であるヒートポンプを制御し、さらに発電施設に設けられた空調機の設定温度を１度上昇させる制御を行う。
【００８２】
電力メータ１８１は、たとえば発電施設における全体の発電量を測定し、測定結果を示す信号を発電制御装置２０２へ送信する。電流センサ１８２は、たとえば発電施設における各発電フロアに設けられ、フロア単位の消費電力量を測定し、測定結果を示す信号を発電制御装置２０２へ送信する。センサ１８３は、たとえば、発電施設における各フロアに設けられた温度センサまたは湿度センサであり、検知結果を示す信号を発電制御装置２０２へ送信する。
【００８３】
発電制御装置２０２は、たとえば電力管理装置１０１からの要求に応じて、電力メータ１８１および電流センサ１８２等の測定結果に基づく所定時間単位の発電量、ならびに各種センサ１８３の検知結果を示すセンサ情報に基づいて、発電施設から外部へ供給される電力供給の抑制量の実測値（以下、抑制実測値とも称する。）を算出する。
【００８４】
具体的には、発電制御装置２０２は、電力メータ１８１により測定された発電量から、電流センサ１８２により測定された消費電力量を差し引いた値を抑制実測値として算出する。そして、発電制御装置２０２は、算出した抑制実測値を示す情報を電力管理装置１０１へ送信する。
【００８５】
電力管理装置１０１は、発電制御装置２０２から取得した各種情報をデータベース１６１に保存する。また、電力管理装置１０１は、インターネット等から各種情報、たとえば、発電施設の地域における気温、湿度および天候等の過去の気象情報および気象予報情報を取得してデータベース１６１に保存する。
【００８６】
また、データベース１６１には、電力供給の抑制に関する過去のデータが保存されている。過去のデータは、具体的には、たとえば、過去の電力供給の抑制内容、過去の電力供給の抑制内容を実行したときの電力供給量、および過去の電力供給の抑制内容を実行したときの気候等である。
【００８７】
［電力管理装置］
図３は、本発明の第１の実施の形態に係る電力管理システムにおける電力管理装置の構成を示す図である。
【００８８】
図３を参照して、電力管理装置１０１は、電力管理情報取得部２２と、最適化条件設定部２３と、最適化部２４と、報奨金推定部２５と、抑制量推定部２６と、効果情報作成部２８と、効果情報通知部２９と、候補情報作成部（抑制内容情報作成部）３０と、候補情報通知部（抑制内容情報通知部）３１と、結果取得部３２と、報奨金確定部３３と、画面情報作成部３７と、画面情報通知部３８とを備える。
【００８９】
電力管理情報取得部２２は、電力系統側から電力供給の抑制内容に関する電力管理情報を取得する。より詳細には、電力管理情報取得部２２は、たとえば、系統側管理装置１５１から電力管理情報を受信すると、受信した電力管理情報を最適化条件設定部２３へ出力する。
【００９０】
最適化条件設定部２３は、電力管理情報取得部２２から電力管理情報を受けると、電力管理情報の示す電力供給の抑制量が満たされるように、電力供給の抑制内容を最適化するために必要な条件を設定する。
【００９１】
最適化条件設定部２３は、たとえば、抑制期間、電力供給の抑制量、各発電施設側の都合、および各発電施設において制御可能な機器Ｅの個数等の要件、ならびに各発電施設の電力抑制推定量、各発電施設における機器Ｅの状態、および外気温等の環境条件を設定する。
【００９２】
ここで、電力抑制推定量は、たとえば、各発電施設において過去に電力供給の抑制を行ったときの電力供給の抑制量の実績値に基づいて推定した抑制量である。最適化条件設定部２３は、設定した要件および環境条件を最適化部２４へ出力する。
【００９３】
図４は、本発明の第１の実施の形態に係る電力管理装置における最適化部が作成する、各発電施設に与えるべき抑制内容の候補の一例を示す図である。
【００９４】
図４を参照して、最適化部２４は、たとえば、数理最適化ソルバーであり、最適化条件設定部２３から要件および環境条件を受けると、受けた要件および環境条件を引数に用いて抑制内容の最適化を行う。
【００９５】
たとえば、最適化部２４は、発電制御装置２０２Ａ，２０２Ｂ，２０２Ｃの中から抑制内容情報の通知先として１または複数の発電制御装置２０２を選択する。ここでは、電力管理装置１０１は、発電制御装置２０２Ａ，２０２Ｂ，２０２Ｃの３つの発電制御装置２０２を選択する。
【００９６】
また、最適化部２４は、長期間に亘る電力供給の抑制による発電施設における機器Ｅの不使用または使用抑制による発電施設側の負担を分散させるため、たとえば、９時〜１４時までの抑制期間を１時間ごとのサブ抑制期間に分割する。
【００９７】
最適化部２４は、たとえば、発電施設における発電装置２０３および異なる電力関連機器２０４を制御対象とする複数の候補をサブ抑制期間ごとに作成する。
【００９８】
ここでは、発電制御装置２０２Ａに対応する発電装置２０３として太陽光パネルＡ１，Ａ２が設けられ、発電制御装置２０２Ｂに対応する発電装置２０３として太陽光パネルＢ１，Ｂ２，Ｂ３が設けられ、発電制御装置２０２Ｃに対応する発電装置２０３として太陽光パネルＣ１が設けられているとして具体的に説明する。
【００９９】
最適化部２４は、たとえば、「時間：１３−１４時，抑制内容：太陽光パネルＡ１からの出力量を定格出力の５０％まで抑制する」および「時間：１３−１４時，抑制内容：太陽光パネルＡ２からの出力量を定格出力の５０％まで抑制する」を、１３時〜１４時のサブ抑制期間において発電制御装置２０２Ａに与えるべき抑制内容の候補ＣＡ１および候補ＣＡ２としてそれぞれ設定する。
【０１００】
また、最適化部２４は、たとえば、「時間：１３−１４時，抑制内容：太陽光パネルＢ１，Ｂ２からの出力量を定格出力の５０％まで抑制する」、「時間：１３−１４時，抑制内容：太陽光パネルＢ３からの出力量を定格出力の８０％まで抑制する」および「時間：１３−１４時，抑制内容：蓄電池で１０ｋＷ充電する」を、１３時〜１４時のサブ抑制期間において発電制御装置２０２Ｂに与えるべき抑制内容の候補ＣＢ１、候補ＣＢ２および候補ＣＢ３としてそれぞれ設定する。
【０１０１】
また、最適化部２４は、たとえば、「時間：１３−１４時，抑制内容：太陽光パネルＣ１からの出力量を定格出力の５０％まで抑制する」、「時間：１３−１４時，抑制内容：ヒートポンプを稼働させ、さらに空調機の暖房設定温度を１度上げる」および「時間：１３−１４時，抑制内容：ＥＶで１ｋＷ充電する」を、１３時〜１４時のサブ抑制期間において発電制御装置２０２Ｃに与えるべき抑制内容の候補ＣＣ１、候補ＣＣ２および候補ＣＣ３としてそれぞれ設定する。
【０１０２】
最適化部２４は、発電制御装置２０２ごとに作成した複数の候補を抑制量推定部２６および候補情報作成部３０へ出力する。
【０１０３】
［抑制量の推定］
抑制量推定部２６は、たとえば、複数の候補を最適化部２４から受けると、受けた候補ごとに電力供給の抑制量を推定する。
【０１０４】
具体的には、抑制量推定部２６は、たとえば、データベース１６１に保存されているデータに基づいて、データのカテゴライズ、データの相関性の取得、データのグループ化および発電施設側の特性等の発見の少なくともいずれか１つを目的として、過去のデータを用いるデータ分析を行う。ここで、データ分析は、たとえば、主成分分析および相関分析等の統計解析、ならびに識別、回帰およびクラスタリング等の機械学習である。
【０１０５】
抑制量推定部２６は、たとえば、データ分析の結果に基づいて、電力供給の抑制を行う予定日の条件を引数とする関数であって抑制量を算出するための関数を作成する。そして、抑制量推定部２６は、たとえば、作成した関数に、抑制期間を含む予定日の条件を引数として代入して抑制量を推定する。
【０１０６】
具体的には、抑制量推定部２６は、たとえば候補ＣＡ１に対して１００ｋＷｈの抑制量を推定する。また、抑制量推定部２６は、たとえば候補ＣＡ２に対して１１０ｋＷｈの抑制量を推定する。また、抑制量推定部２６は、たとえば候補ＣＡ３に対して１３０ｋＷｈの抑制量を推定する。
【０１０７】
抑制量推定部２６は、候補ごとに推定した抑制量を報奨金推定部２５および効果情報作成部２８へ出力する。
【０１０８】
［報奨金の推定］
報奨金推定部２５は、たとえば、抑制量推定部２６により推定された候補ごとの抑制量を抑制量推定部２６から受けると、受けた候補ごとの抑制量に基づいて、発電施設における電力供給の抑制に対して与えられる対価である報奨金を推定する。なお、上記対価は、報奨金に限定されず、サービスまたは商品と交換可能なポイント等であってもよい。
【０１０９】
より詳細には、報奨金推定部２５は、たとえば抑制量の１ｋＷｈ当たりの対価を保持している。たとえば、この対価は、発電施設から外部に供給される電力の買取価格よりも低く設定されている。
【０１１０】
報奨金推定部２５は、たとえば、抑制量推定部２６から受けた抑制量に１ｋＷｈ当たりの対価を乗じた値を報奨金として推定する。
【０１１１】
具体的には、報奨金推定部２５は、たとえば抑制量１ｋＷｈ当たりの対価が１０円である場合、候補ＣＡ１の１００ｋＷｈの抑制量に対して１０００円の報奨金を推定する。また、報奨金推定部２５は、たとえば候補ＣＡ２の１１０ｋＷｈの抑制量に対して１１００円の報奨金を推定する。また、報奨金推定部２５は、たとえば候補ＣＡ３の１３０ｋＷｈの抑制量に対して１３００円の報奨金を推定する。
【０１１２】
報奨金推定部２５は、候補ごとに推定した報奨金を効果情報作成部２８へ出力する。
【０１１３】
［効果情報の作成および通知］
図５は、本発明の第１の実施の形態に係る電力管理装置における効果情報作成部が作成する、各発電施設に与えるべき抑制内容の候補に対応する効果情報の一例を示す図である。
【０１１４】
図５を参照して、効果情報作成部２８は、たとえば、発電施設における抑制内容の複数の候補に対応する効果を示す効果情報を作成する。
【０１１５】
より詳細には、効果情報作成部２８は、たとえば、発電制御装置２０２ごとの複数の候補に対応する抑制量および報奨金を効果情報として作成する。
【０１１６】
具体的には、効果情報作成部２８は、たとえば、発電制御装置２０２Ａの効果情報として、候補ＣＡ１に対応する効果情報ＥＩＡ１である「抑制量：１００ｋＷｈ，報奨金１０００円」、および候補ＣＡ２に対応する効果情報ＥＩＡ２である「抑制量：１１０ｋＷｈ，報奨金１１００円」を作成する。
【０１１７】
効果情報作成部２８は、作成した効果情報ＥＩＡ１およびＥＩＡ２を効果情報通知部２９および画面情報作成部３７へ出力する。
【０１１８】
また、効果情報作成部２８は、発電制御装置２０２Ｂの候補ＣＢ１〜ＣＢ３にそれぞれ対応する効果情報ＥＩＢ１〜ＥＩＢ３も同様に作成し、作成した効果情報ＥＩＢ１〜ＥＩＢ３を効果情報通知部２９および画面情報作成部３７へ出力する。また、効果情報作成部２８は、発電制御装置２０２Ｃの候補ＣＣ１〜ＣＣ３にそれぞれ対応する効果情報ＥＩＣ１〜ＥＩＣ３も同様に作成し、作成した効果情報ＥＩＣ１〜ＥＩＣ３を効果情報通知部２９および画面情報作成部３７へ出力する。
【０１１９】
効果情報通知部２９は、効果情報作成部２８によって作成された効果情報ＥＩＡ１，ＥＩＡ２、ＥＩＢ１〜ＥＩＢ３およびＥＩＣ１〜ＥＩＣ３を受けると、受けた各効果情報を保持する。また、効果情報通知部２９は、たとえば、効果情報の通知の要求を発電制御装置２０２から受けると、要求対象の効果情報を要求元の発電制御装置２０２へ通知する。
【０１２０】
具体的には、効果情報通知部２９は、たとえば、発電制御装置２０２Ａから効果情報の通知の要求を受けると、保持している対応の効果情報ＥＩＡ１およびＥＩＡ２を要求元の発電制御装置２０２Ａへ通知する。
【０１２１】
また、効果情報通知部２９は、たとえば、発電制御装置２０２Ｂから効果情報の通知の要求を受けると、保持している対応の効果情報ＥＩＢ１〜ＥＩＢ３を要求元の発電制御装置２０２Ｂへ通知する。
【０１２２】
また、効果情報通知部２９は、たとえば、発電制御装置２０２Ｃから効果情報の通知の要求を受けると、保持している対応の効果情報ＥＩＣ１〜ＥＩＣ３を要求元の発電制御装置２０２Ｃへ通知する。
【０１２３】
［候補情報の作成］
図６は、本発明の第１の実施の形態に係る電力管理装置における候補情報作成部が作成する候補情報の一例を示す図である。
【０１２４】
図６を参照して、候補情報作成部３０は、発電施設における電力供給の抑制内容の複数の候補をそれぞれ示す複数の候補情報を作成する。また、候補情報作成部３０は、複数の候補情報を合わせた抑制内容情報を作成する。
【０１２５】
抑制内容情報は、たとえば候補すなわち候補情報ごとに異なる識別子を含む。また、抑制内容情報は、たとえば電力供給の抑制に対して異なる対価が与えられる複数の候補を示す情報を含む。また、抑制内容情報は、たとえば発電施設における異なる機器Ｅを抑制対象とする複数の候補を示す情報を含む。
【０１２６】
具体的には、候補情報作成部３０は、発電制御装置２０２ごとの複数の候補を最適化部２４から受けると、受けた各候補を用いて候補情報を作成する。
【０１２７】
たとえば、候補情報作成部３０は、発電制御装置２０２Ａに通知すべき候補情報として、発電制御装置２０２Ａの候補ごとに候補情報を作成する。
【０１２８】
具体的には、候補情報作成部３０は、たとえば、候補ＣＡ１すなわち「時間：１３−１４時，抑制内容：太陽光パネルＡ１からの出力量を定格出力の５０％まで抑制する」を含む候補情報ＣＩＡ０１を作成する。候補情報ＣＩＡ０１は、さらに、識別子である「イベント識別子：Ａ１」、および「プログラム：候補」を含む。ここで、「プログラム」は、文字列を含む。たとえば、電力管理装置１０１および発電制御装置２０２では、「プログラム」に「候補」という文字列が含まれる場合、「候補」という文字列を含む候補情報から候補を選択できるように取り決められている。
【０１２９】
また、候補情報作成部３０は、たとえば、候補ＣＡ２すなわち「時間：１３−１４時，抑制内容：太陽光パネルＡ２からの出力量を定格出力の５０％まで抑制する」を含む候補情報ＣＩＡ０２を作成する。候補情報ＣＩＡ０２は、さらに、識別子である「イベント識別子：Ａ２」、および「プログラム：候補」を含む。
【０１３０】
候補情報作成部３０は、作成した候補情報ＣＩＡ０１およびＣＩＡ０２を候補情報通知部３１および画面情報作成部３７へ出力する。
【０１３１】
また、候補情報作成部３０は、発電制御装置２０２Ｂに通知すべき候補情報ＣＩＢ０１〜ＣＩＢ０３も同様に作成し、作成した候補情報ＣＩＢ０１〜ＣＩＢ０３を候補情報通知部３１および画面情報作成部３７へ出力する。また、候補情報作成部３０は、発電制御装置２０２Ｃに通知すべき候補情報ＣＩＣ０１〜ＣＩＣ０３も同様に作成し、作成した候補情報ＣＩＣ０１〜ＣＩＣ０３を候補情報通知部３１および画面情報作成部３７へ出力する。
【０１３２】
［候補情報の通知］
候補情報通知部３１は、候補情報作成部３０によって作成された抑制内容情報を通知する。この場合、候補情報通知部３１は、抑制内容情報に含まれる複数の候補情報を別個で通知する。
【０１３３】
より詳細には、候補情報通知部３１は、候補情報作成部３０から候補情報ＣＩＡ０１、ＣＩＡ０２、ＣＩＢ０１〜ＣＩＢ０３およびＣＩＣ０１〜ＣＩＣ０３を受けると、受けた各候補情報を保持する。
【０１３４】
候補情報通知部３１は、たとえば、候補情報の通知の要求を示す内容要求を発電制御装置２０２から受けると、電力管理装置１０１および発電制御装置２０２間の通信方法を定める規格（以下、通信規格とも称する。）に従って、保持している要求対象の候補情報を要求元の発電制御装置２０２へ通知する。
【０１３５】
ここで、通信規格では、たとえば、以下のことが定められている。すなわち、候補情報通知部３１は、発電制御装置２０２から内容要求を受けると、複数の候補情報のうちのいずれか１つの候補情報を要求元の発電制御装置２０２へ通知する。
【０１３６】
また、候補情報通知部３１は、たとえば、発電制御装置２０２へ通知した候補情報に対する応答情報を取得するまでは、他の候補情報を当該発電制御装置２０２へ通知しない。
【０１３７】
また、候補情報通知部３１は、たとえば、発電制御装置２０２から応答情報を取得すると、取得した応答情報を画面情報作成部３７へ出力するとともに、取得した応答情報が、対応の候補情報の示す発電抑制への不参加を示す場合、当該対応の候補情報を削除する。
【０１３８】
具体的には、候補情報通知部３１は、たとえば、発電制御装置２０２Ａから内容要求を受けると、保持している候補情報ＣＩＡ０１およびＣＩＡ０２のいずれか１つ、ここでは候補情報ＣＩＡ０１を発電制御装置２０２Ａへ通知する。
【０１３９】
候補情報通知部３１は、たとえば、発電制御装置２０２Ａへ通知した候補情報ＣＩＡ０１に対する応答情報を取得し、取得した応答情報が候補情報ＣＩＡ０１の示す発電抑制への不参加を示す場合、候補情報ＣＩＡ０１を削除する。
【０１４０】
そして、候補情報通知部３１は、たとえば、発電制御装置２０２Ａから内容要求を受けると、保持している候補情報ＣＩＡ０２を要求元の発電制御装置２０２Ａへ通知する。
【０１４１】
候補情報通知部３１は、たとえば、発電制御装置２０２Ａへ通知した候補情報ＣＩＡ０２に対する応答情報を取得し、取得した応答情報が候補情報ＣＩＡ０２の示す発電抑制への不参加を示す場合、候補情報ＣＩＡ０２を削除する。
【０１４２】
また、候補情報通知部３１は、たとえば、発電制御装置２０２Ｂから内容要求を受ける場合においても、発電制御装置２０２Ａから内容要求を受ける場合と同様に、通信規格に従って、要求対象の候補情報を発電制御装置２０２Ｂへ通知する。
【０１４３】
また、候補情報通知部３１は、たとえば、発電制御装置２０２Ｃから内容要求を受ける場合においても、発電制御装置２０２Ａから内容要求を受ける場合と同様に、通信規格に従って、要求対象の候補情報を発電制御装置２０２Ｃへ通知する。
【０１４４】
［画面情報の作成および通知］
画面情報作成部３７は、たとえば、発電施設における電力供給の抑制内容の複数の候補を示す画面の情報（以下、候補画面情報とも称する。）を作成する。
【０１４５】
具体的には、画面情報作成部３７は、たとえば、候補情報作成部３０から受ける候補情報と効果情報作成部２８から受ける効果情報とを含む候補画面情報を作成する。
【０１４６】
なお、画面情報作成部３７は、効果情報を含まない候補画面情報を作成してもよい。また、画面情報作成部３７は、たとえば、候補情報に対する応答情報を候補情報通知部３１から取得可能である場合、候補画面情報に当該応答情報の内容を含めてもよい。
【０１４７】
画面情報作成部３７は、作成した候補画面情報を画面情報通知部３８へ出力する。画面情報通知部３８は、たとえば、画面情報作成部３７から候補画面情報を受けると、受けた候補画面情報を保持する。
【０１４８】
また、画面情報通知部３８は、たとえば、端末装置１７１に対して候補画面情報を提供するサーバとして機能し、候補画面情報の通知の要求を発電制御装置２０２を経由して端末装置１７１から受けると、保持している候補画面情報を要求元の端末装置１７１へ通知する。
【０１４９】
［発電制御装置］
図７は、本発明の第１の実施の形態に係る電力管理システムにおける発電制御装置の構成を示す図である。
【０１５０】
図７を参照して、発電制御装置２０２は、候補情報取得部（抑制内容情報取得部）４１と、効果情報取得部４２と、画面情報作成部４３と、画面情報通知部４４と、選択結果取得部４５と、応答情報通知部４６と、制御部４７と、抑制量算出部４８と、結果通知部４９とを備える。
【０１５１】
図７を参照して、以下、発電制御装置２０２Ａにおける各構成要素および動作について説明するが、発電制御装置２０２Ａ以外の発電制御装置２０２における各構成要素および動作についても同様である。
【０１５２】
候補情報取得部４１は、発電施設における電力供給の抑制内容の複数の候補を示す抑制内容情報を取得する。より詳細には、候補情報取得部４１は、抑制内容情報に含まれる複数の候補情報を複数回に分けて取得する。
【０１５３】
具体的には、候補情報取得部４１は、たとえば、内容要求を定期的に電力管理装置１０１へ通知し、当該内容要求の応答として候補情報ＣＩＡ０１を電力管理装置１０１から取得する。候補情報取得部４１は、たとえば、取得した候補情報ＣＩＡ０１を画面情報作成部４３、制御部４７および応答情報通知部４６へ出力する。
【０１５４】
効果情報取得部４２は、たとえば、効果情報の通知の要求を定期的に電力管理装置１０１へ通知し、当該要求の応答として効果情報ＥＩＡ１を電力管理装置１０１から取得する。効果情報取得部４２は、たとえば、取得した効果情報ＥＩＡ１を画面情報作成部４３へ出力する。
【０１５５】
画面情報作成部４３は、候補画面情報を作成する。具体的には、画面情報作成部４３は、たとえば、候補情報取得部４１から受ける候補情報ＣＩＡ０１と効果情報取得部４２から受ける効果情報ＥＩＡ１とを含む候補画面情報を作成する。
【０１５６】
なお、画面情報作成部４３は、効果情報を含まない候補画面情報を作成してもよい。また、画面情報作成部４３は、たとえば、候補情報に対する応答情報を応答情報通知部４６から取得可能である場合、候補画面情報に当該応答情報の内容を含めてもよい。
【０１５７】
画面情報作成部４３は、作成した候補画面情報を画面情報通知部４４へ出力する。
【０１５８】
画面情報通知部４４は、たとえば、画面情報作成部４３から候補画面情報を受けると、受けた候補画面情報を保持する。また、画面情報通知部４４は、たとえば、端末装置１７１に対して候補画面情報を提供するサーバとして機能し、候補画面情報の通知の要求を端末装置１７１から受けると、保持している候補画面情報を要求元の端末装置１７１へ通知する。
【０１５９】
図８は、本発明の第１の実施の形態に係る電力管理システムにおける端末装置の構成を示す図である。
【０１６０】
図８を参照して、端末装置１７１は、画面情報取得部６１と、表示制御部６２と、表示部６３と、選択受け付け部６４と、選択結果通知部６５とを備える。
【０１６１】
図８を参照して、端末装置１７１は、たとえばスマートフォンまたはＰＣ（パーソナルコンピュータ）である。
【０１６２】
端末装置１７１における表示部６３は、たとえばディスプレイであり、表示制御部６２による制御に従って、発電施設の管理者に伝達すべき情報を表示する。
【０１６３】
画面情報取得部６１は、候補画面情報を取得する。具体的には、画面情報取得部６１は、たとえば、候補画面情報の通知の要求を定期的に発電制御装置２０２へ通知し、当該要求の応答として候補画面情報を発電制御装置２０２から取得する。画面情報取得部６１は、取得した候補画面情報を表示制御部６２へ出力する。
【０１６４】
図９は、本発明の第１の実施の形態に係る電力管理システムの端末装置において表示される画面の一例を示す図である。
【０１６５】
図９には、たとえば、発電制御装置２０２に通信接続されている端末装置１７１における表示部６３に表示される画面が示されている。
【０１６６】
表示制御部６２は、たとえば、画面情報取得部６１から候補画面情報を受けると、受けた候補画面情報を用いて画面を表示する、具体的には、図９に示す画面を表示部６３に表示させる。なお、表示制御部６２は、効果情報に対応する、「抑制量」および「報奨金」を含まない画面を表示部６３に表示させてもよい。
【０１６７】
選択受け付け部６４は、たとえばディスプレイの表示画面に組合せて設けられるタッチパネル、またはキーボードであり、管理者の操作を受け付ける。
【０１６８】
管理者は、たとえば、表示部６３において表示されている候補１の発電抑制に参加しようとする場合、選択受け付け部６４を操作して候補１の発電抑制に参加する旨を入力する。また、管理者は、たとえば、表示部６３において表示されている候補１の発電抑制に参加しない場合、選択受け付け部６４を操作して候補１の発電抑制に参加しない旨を入力する。
【０１６９】
選択受け付け部６４は、たとえば、管理者の操作を受け付け、受け付けた操作の内容に基づいて選択結果情報を作成する。そして、選択受け付け部６４は、たとえば、作成した選択結果情報を選択結果通知部６５へ出力する。
【０１７０】
選択結果通知部６５は、選択受け付け部６４から選択結果情報を受けると、受けた選択結果情報を発電制御装置２０２へ通知する。
【０１７１】
再び図７を参照して、発電制御装置２０２における選択結果取得部４５は、たとえば、端末装置１７１から選択結果情報を取得すると、取得した選択結果情報を応答情報通知部４６へ出力する。
【０１７２】
応答情報通知部４６は、候補情報取得部４１によって取得された抑制内容情報の示す複数の候補の選択結果を示す応答情報を通知する。
【０１７３】
具体的には、応答情報通知部４６は、たとえば、選択結果取得部４５から選択結果情報を受けると、受けた選択結果情報と候補情報取得部４１から受ける候補情報とを対応付けることにより応答情報を作成する。
【０１７４】
より詳細には、応答情報通知部４６は、たとえば、候補１の発電抑制に参加する旨を選択結果情報が示す場合、発電制御装置２０２Ａの候補情報ＣＩＡ０１の示す発電抑制への参加を示す応答情報を作成する。
【０１７５】
また、応答情報通知部４６は、たとえば、候補１の発電抑制に参加しない旨を選択結果情報が示す場合、発電制御装置２０２Ａの候補情報ＣＩＡ０１の示す発電抑制への不参加を示す応答情報を作成する。
【０１７６】
応答情報通知部４６は、作成した応答情報を制御部４７および画面情報作成部４３へ出力するとともに、応答情報を電力管理装置１０１へ通知する。
【０１７７】
制御部４７は、たとえば、応答情報通知部４６から受けた応答情報に基づいて発電装置２０３である太陽光パネルＡ１を制御することにより、太陽光パネルＡ１により発電される電力の出力を抑制する。
【０１７８】
より詳細には、制御部４７は、たとえば、候補情報取得部４１から受けた応答情報に基づいて、管理者によって参加することが選択された候補情報を認識し、認識した候補情報に含まれる抑制内容を把握する。そして、制御部４７は、たとえば、把握した抑制内容に従って、抑制期間において太陽光パネルＡ１を制御することにより、太陽光パネルＡ１により発電される電力量が定格出力の５０％となるように抑制する。
【０１７９】
なお、電力管理システム３０１では、管理者により候補の選択が行われる構成であるとしたが、これに限定するものではなく、電力管理装置１０１または発電制御装置２０２等により自動的に候補の選択が行われる構成であってもよい。
【０１８０】
図１０は、本発明の第１の実施の形態に係る各発電施設における電力の供給量の一例を示す図である。図１０では、縦軸は発電施設から外部へ供給される電力の供給量（以下、電力供給量とも称する。）を示し、横軸は時間を示す。
【０１８１】
図７および図１０を参照して、発電制御装置２０２における抑制量算出部４８は、抑制期間における電力供給の抑制量の実測値である抑制実測値を算出し、算出した抑制実測値を結果通知部４９へ出力する。
【０１８２】
具体的には、抑制量算出部４８は、たとえば、サブ抑制期間として１３時〜１４時の期間における発電装置２０３により発電される発電量の実測値から、当該期間における電力関連機器２０４による消費電力量の実測値を差し引いた電力量を、当該期間における電力供給量（図１０に示すグラフＧＦ２）として算出する。
【０１８３】
また、抑制量算出部４８は、制御部４７による電力供給を抑制するための制御が行われなかったと仮定した場合における電力供給量（図１０に示すグラフＧＦ１）から制御部４７による上記制御が行われた場合における電力供給量（図１０に示すグラフＧＦ２）を差し引くことにより、抑制実測値を算出する。
【０１８４】
結果通知部４９は、抑制量算出部４８から抑制実測値を受けると、受けた抑制実測値を示す抑制量情報を作成し、作成した抑制量情報を電力管理装置１０１へ通知する。
【０１８５】
再び図３を参照して、電力管理装置１０１における結果取得部３２は、たとえば、発電制御装置２０２から抑制量情報を取得すると、取得した抑制量情報を報奨金確定部３３へ出力する。
【０１８６】
報奨金確定部３３は、たとえば、結果取得部３２から抑制量情報を受けると、受けた抑制量情報の示す抑制実測値に基づいて報奨金を確定する。具体的には、報奨金確定部３３は、上述した報奨金推定部２５と同様に、たとえば抑制量金の１ｋＷｈ当たりの価格を保持している。
【０１８７】
報奨金確定部３３は、たとえば、抑制実測値に１ｋＷｈ当たりの対価を乗じた値を報奨金として確定し、確定した報奨金である報奨金確定値を効果情報作成部２８へ出力する。
【０１８８】
効果情報作成部２８は、報奨金確定部３３から報奨金確定値を受けると、たとえば、受けた報奨金確定値を含む効果情報を作成し、作成した効果情報を効果情報通知部２９経由で抑制実測値の送信元の発電制御装置２０２へ通知する。
【０１８９】
［動作（システム全体）］
図１１は、本発明の第１の実施の形態に係る電力管理システムにおける電力供給の抑制処理のシーケンスの一例を示す図である。
【０１９０】
電力管理システム３０１における各装置は、コンピュータを備え、当該コンピュータにおけるＣＰＵ等の演算処理部は、以下のシーケンス図の各ステップの一部または全部を含むプログラムを図示しないメモリからそれぞれ読み出して実行する。これら複数の装置のプログラムは、それぞれ、外部からインストールすることができる。これら複数の装置のプログラムは、それぞれ、記録媒体に格納された状態で流通する。
【０１９１】
図１１を参照して、まず、系統側管理装置１５１は、電力需要を予測し、電力供給が電力需要を上回る場合、または電力供給が電力需要を上回るおそれがある場合、電力供給の抑制を行なうべきであると判断し、電力管理情報を電力管理装置１０１へ送信する（ステップＳ１０２）。
【０１９２】
次に、電力管理装置１０１は、系統側管理装置１５１から電力管理情報を受信すると、受信した電力管理情報に基づいて、発電施設における機器Ｅを制御対象とする抑制内容の複数の候補を作成する。そして、電力管理装置１０１は、作成した複数の候補を示す候補情報を作成する（ステップＳ１０４）。
【０１９３】
次に、電力管理装置１０１は、作成した候補情報が示す候補ごとに抑制量を推定する（ステップＳ１０６）。
【０１９４】
次に、電力管理装置１０１は、候補ごとに推定した抑制量に基づいて報奨金を推定する（ステップＳ１０８）。
【０１９５】
次に、電力管理装置１０１および発電制御装置２０２は、候補選択処理を行う（ステップＳ１１０）。候補選択処理の詳細については後述する。
【０１９６】
次に、発電制御装置２０２は、候補選択処理によって選択された候補情報に対応する抑制内容に従って、抑制期間において機器Ｅである発電装置２０３および電力関連機器２０４のうちの少なくともいずれか１つを制御する（ステップＳ１１２）。
【０１９７】
次に、発電制御装置２０２は、抑制期間における発電装置２０３により発電される電力量の実測値、および抑制期間における電力関連機器２０４による消費電力量の実測値を取得し、抑制実測値を算出する。そして、発電制御装置２０２は、算出した抑制実測値を示す抑制量情報を作成する。そして、発電制御装置２０２は、作成した抑制量情報を電力管理装置１０１へ送信する（ステップＳ１１４）。
【０１９８】
次に、電力管理装置１０１は、発電制御装置２０２から抑制量情報を受信すると、受信した抑制量情報の示す抑制実測値に基づいて報奨金を確定する（ステップＳ１１６）。
【０１９９】
次に、電力管理装置１０１は、確定した報奨金を含む効果情報を作成し、作成した効果情報を発電制御装置２０２へ送信する（ステップＳ１１８）。
【０２００】
なお、電力管理装置１０１が候補情報を作成する処理（ステップＳ１０４）と、電力管理装置１０１が抑制量を推定する処理（ステップＳ１０６）および電力管理装置１０１が報奨金を推定する処理（ステップＳ１０８）とが、入れ替わってもよい。
【０２０１】
［動作（その１）］
図１２は、本発明の第１の実施の形態に係る電力管理システムにおける候補選択処理のシーケンスの一例を示す図である。
【０２０２】
図１２では、たとえば、電力管理装置１０１および発電制御装置２０２Ｃ間における候補選択処理の詳細が示されている。
【０２０３】
まず、電力管理装置１０１は、図４に示す候補ＣＣ１、ＣＣ２およびＣＣ３を用いて、図６に示す候補情報ＣＩＣ０１、ＣＩＣ０２およびＣＩＣ０３をそれぞれ作成する（ステップＳ２０２）。
【０２０４】
次に、電力管理装置１０１は、図５に示す候補ごとの抑制量を推定する（ステップＳ２０４）。
【０２０５】
次に、電力管理装置１０１は、候補ごとに推定した抑制量に基づいて、図５に示す候補ごとの報奨金を推定する（ステップＳ２０６）。
【０２０６】
次に、発電制御装置２０２Ｃは、内容要求を電力管理装置１０１へ送信する（ステップＳ２０８）。
【０２０７】
次に、電力管理装置１０１は、発電制御装置２０２Ｃから内容要求を受信すると、受信した内容要求の応答としてたとえば候補情報ＣＩＣ０１を発電制御装置２０２Ｃへ送信する（ステップＳ２１０）。
【０２０８】
次に、発電制御装置２０２Ｃは、電力管理装置１０１から候補情報ＣＩＣ０１を受信すると、たとえば候補情報ＣＩＣ０１の示す発電抑制への不参加を示す応答情報を電力管理装置１０１へ送信する（ステップＳ２１２）。
【０２０９】
次に、電力管理装置１０１は、発電制御装置２０２Ｃから応答情報を受信し、受信した応答情報が候補情報ＣＩＣ０１の示す発電抑制への不参加を示す場合、候補情報ＣＩＣ０１を削除する（ステップＳ２１４）。
【０２１０】
次に、発電制御装置２０２Ｃは、内容要求を電力管理装置１０１へ送信する（ステップＳ２１６）。
【０２１１】
次に、電力管理装置１０１は、発電制御装置２０２Ｃから内容要求を受信すると、受信した内容要求の応答としてたとえば候補情報ＣＩＣ０２を発電制御装置２０２Ｃへ送信する（ステップＳ２１８）。
【０２１２】
次に、発電制御装置２０２Ｃは、電力管理装置１０１から候補情報ＣＩＣ０２を受信すると、たとえば候補情報ＣＩＣ０２の示す発電抑制への不参加を示す応答情報を電力管理装置１０１へ送信する（ステップＳ２２０）。
【０２１３】
次に、電力管理装置１０１は、発電制御装置２０２Ｃから応答情報を受信し、受信した応答情報が候補情報ＣＩＣ０２の示す発電抑制への不参加を示す場合、候補情報ＣＩＣ０２を削除する（ステップＳ２２２）。
【０２１４】
次に、発電制御装置２０２Ｃは、内容要求を電力管理装置１０１へ送信する（ステップＳ２２４）。
【０２１５】
次に、電力管理装置１０１は、発電制御装置２０２Ｃから内容要求を受信すると、受信した内容要求の応答として候補情報ＣＩＣ０３を発電制御装置２０２Ｃへ送信する（ステップＳ２２６）。
【０２１６】
次に、発電制御装置２０２Ｃは、電力管理装置１０１から候補情報ＣＩＣ０３を受信すると、たとえば候補情報ＣＩＣ０３の示す発電抑制への参加を示す応答情報を電力管理装置１０１へ送信する（ステップＳ２２８）。
【０２１７】
図１２に示す候補選択処理の例では、ステップＳ２１０、Ｓ２１８およびＳ２２６の動作によって電力供給の抑制内容の複数の候補を示す抑制内容情報が発電制御装置２０２へ送信されている。
【０２１８】
［動作（候補画面情報の取得）］
図１３は、本発明の第１の実施の形態に係る電力管理システムにおける候補画面情報の取得処理のシーケンスの一例を示す図である。
【０２１９】
図１４は、本発明の第１の実施の形態に係る電力管理システムの端末装置において表示される画面の一例を示す図である。図１４には、図４に示す候補ＣＣ１〜ＣＣ３、図５に示す効果情報ＥＩＣ１〜ＥＩＣ３、および電力管理装置１０１が発電制御装置２０２Ｃから受信した応答情報の内容が示されている。
【０２２０】
図１３には、たとえば、電力管理装置１０１または発電制御装置２０２Ｃと端末装置１７１との間における候補画面情報の取得処理の詳細が示されている。
【０２２１】
以下、たとえば、発電制御装置２０２Ｃが候補情報ＣＩＣ０３の示す発電抑制への参加を示す応答情報を電力管理装置１０１へ送信した（図１２に示すステップＳ２２８）後の状況を想定する。
【０２２２】
まず、端末装置１７１は、たとえば発電制御装置２０２Ｃの候補画面情報の通知の要求を電力管理装置１０１へ送信する（ステップＳ２５２）。
【０２２３】
次に、電力管理装置１０１は、端末装置１７１から発電制御装置２０２Ｃの候補画面情報の通知の要求を受信すると、受信した当該要求の応答としてたとえば候補情報ＣＩＣ０１〜ＣＩＣ０３、効果情報ＥＩＣ１〜ＥＩＣ３、および候補情報ＣＩＣ０１〜ＣＩＣ０３に対する応答情報の内容を含む候補画面情報を要求元の端末装置１７１へ送信する（ステップＳ２５４）。
【０２２４】
次に、端末装置１７１は、電力管理装置１０１から候補画面情報を受信すると、受信した候補画面情報を用いて図１４に示す画面を表示部６３に表示させる（ステップＳ２５６）。
【０２２５】
なお、端末装置１７１が候補画面情報を取得するタイミングは、発電制御装置２０２が候補情報に対する応答情報を電力管理装置１０１へ送信した後のタイミングに限らず、電力管理装置１０１が候補情報を作成し、作成した候補情報を含む候補画面情報を作成した後のタイミングであればいずれのタイミングでもよい。
【０２２６】
また、端末装置１７１が、発電制御装置２０２Ｃの候補画面情報の通知の要求を電力管理装置１０１へ送信する構成に限らず（ステップＳ２５２）、端末装置１７１が、当該候補画面情報の通知の要求を発電制御装置２０２Ｃへ送信する構成であってもよい。
【０２２７】
ところで、電力供給の抑制に関する指示が一般電気事業者から発電事業者へ通知された場合であっても、当該指示に従って電力供給を抑制することが発電事業者にとって都合の悪い場合もある。このような場合、当該指示に応じた内容の電力供給の抑制が行われなくなり、電力の需要と供給のバランスを安定させることができないことがある。
【０２２８】
これに対して、本発明の第１の実施の形態に係る発電制御装置２０２は、発電装置２０３の設けられた施設において用いられる。候補情報取得部４１は、発電装置２０３を用いた電力供給の抑制内容の複数の候補を示す抑制内容情報を取得する。そして、応答情報通知部４６は、候補情報取得部４１によって取得された抑制内容情報の示す複数の候補の選択結果を示す応答情報を通知する。
【０２２９】
このような構成により、発電施設の管理者が、複数の電力供給の抑制内容の中から自己に都合のよい抑制内容を選択することができる。これにより、電力供給の抑制への参加を促進させ、電力供給が抑制される確度を向上させることができる。
【０２３０】
また、本発明の第１の実施の形態に係る発電制御装置２０２では、候補情報取得部４１は、候補ごとに異なる識別子を含む抑制内容情報を取得する。
【０２３１】
このような構成により、複数の候補のうち、同じ抑制内容の候補であるか、または異なる抑制内容の候補であるかを簡易な処理で判別することができる。
【０２３２】
また、本発明の第１の実施の形態に係る発電制御装置２０２では、候補情報取得部４１は、発電施設における電力供給の抑制に対して与えられる対価について、異なる対価が与えられる複数の候補を示す抑制内容情報を取得する。
【０２３３】
このような構成により、取得した複数の候補の中から、都合のよい抑制内容を対価の観点から選択することができる。
【０２３４】
また、本発明の第１の実施の形態に係る発電制御装置２０２では、候補情報取得部４１は、発電施設における異なる機器Ｅを電力供給の抑制対象とする複数の候補を示す抑制内容情報を取得する。
【０２３５】
このような構成により、取得した複数の候補の中から、都合のよい抑制内容を機器Ｅの選択の観点から選択することができる。
【０２３６】
また、本発明の第１の実施の形態に係る発電制御装置２０２では、抑制内容の種類は、発電装置２０３の発電の抑制、発電装置２０３の発電電力の消費、および発電装置２０３の発電電力の蓄電のうちの少なくともいずれか１つである。
【０２３７】
このような構成により、発電施設から外部への電力供給を適切な方法によって効果的に抑制することができる。
【０２３８】
また、本発明の第１の実施の形態に係る電力管理装置１０１は、発電装置２０３の設けられた施設における電力供給を管理する。候補情報作成部３０は、発電装置２０３を用いた電力供給の抑制内容の複数の候補を示す抑制内容情報を作成する。そして、候補情報通知部３１は、候補情報作成部３０によって作成された抑制内容情報を通知する。
【０２３９】
このような構成により、電力供給の抑制内容について複数の候補をたとえば施設側装置へ送信することで、発電施設の管理者は、都合のよい抑制内容を当該複数の候補の中から選択することができる。これにより、電力供給の抑制への参加を促進させ、電力供給が抑制される確度を向上させることができる。
【０２４０】
また、本発明の第１の実施の形態に係る電力管理システム３０１では、電力管理装置１０１が、発電装置２０３の設けられた発電施設における電力供給を管理する。発電制御装置２０２は、発電施設において用いられる。電力管理装置１０１は、発電施設における電力供給の抑制内容の複数の候補を示す抑制内容情報を発電制御装置２０２へ送信する。発電制御装置２０２は、抑制内容情報を電力管理装置１０１から受信し、受信した抑制内容情報の示す複数の候補の選択結果を示す応答情報を電力管理装置１０１へ送信する。
【０２４１】
このような構成により、発電施設の管理者が、複数の電力供給の抑制内容の中から自己に都合のよい抑制内容を選択することができる。これにより、電力供給の抑制への参加を促進させ、電力供給が抑制される確度を向上させることができる。
【０２４２】
次に、本発明の他の実施の形態について図面を用いて説明する。なお、図中同一または相当部分には同一符号を付してその説明は繰り返さない。
【０２４３】
＜第２の実施の形態＞
本実施の形態は、第１の実施の形態に係る電力管理システムと比べて複数の候補情報を発電制御装置２０２へ１回で送信可能な電力管理システムに関する。以下で説明する内容以外は第１の実施の形態に係る電力管理システムと同様である。
【０２４４】
［課題］
たとえば、第１の実施の形態に係る電力管理システムでは、電力管理装置１０１が、図６に示す候補情報ＣＩＡ０１およびＣＩＡ０２のように、複数の候補情報において「時間：１３−１４時」が同じで、かつ「プログラム」に含まれる文字列が同じ「候補」である候補情報をまとめて発電制御装置２０２へ送信しようとする場合、当該発電制御装置２０２が当該複数の候補情報を識別できなくなるので、通信エラーとなることがある。
【０２４５】
このため、電力管理装置１０１は、１つ目の候補情報を発電制御装置２０２へ送信した後、１つ目の候補情報に対応する応答情報が１つ目の候補情報の示す発電抑制への不参加を示す場合において、１つ目の候補情報と異なる２つ目の候補情報を発電制御装置２０２へ送信するとき、１つ目の候補情報を削除した後、上記２つ目の候補情報を発電制御装置２０２へ送信する必要がある。
【０２４６】
一方、需要家は、候補情報が電力管理装置１０１から１つずつ送信されてくる度に、送信されてきた候補情報の示す発電抑制に参加するか否かの判断を行わなければならない。
【０２４７】
たとえば、図１２に示すように、候補情報ＣＩＣ０１およびＣＩＣ０２が削除された（ステップＳ２１４およびＳ２２２）後では、発電制御装置２０２Ｃが内容要求を電力管理装置１０１へ送信しても（ステップＳ２２４およびＳ２３０）、発電制御装置２０２Ｃは候補情報ＣＩＣ０１またはＣＩＣ０２を受信することができない。
【０２４８】
すなわち、需要家が、候補情報ＣＩＣ０１が削除された（ステップＳ２１４）後において候補情報ＣＩＣ０１の示す発電抑制への不参加の判断が誤っていたと気付いたり、候補情報ＣＩＣ０２が削除された（ステップＳ２２２）後において候補情報ＣＩＣ０２の示す発電抑制への不参加の判断が誤っていたと気付いたりしても、当該判断を変更することができないため不便である。
【０２４９】
そこで、本発明の第２の実施の形態に係る電力管理システム３０２における電力管理装置１０１および発電制御装置２０２では、以下のような構成および動作により、このような課題を解決する。
【０２５０】
［構成および基本動作（その２）］
図１５は、本発明の第２の実施の形態に係る電力管理システムにおける電力管理装置の構成を示す図である。
【０２５１】
図１５を参照して、本発明の第２の実施の形態に係る電力管理システム３０２における電力管理装置１０１は、本発明の第１の実施の形態に係る電力管理装置と比べて、候補情報作成部３０および候補情報通知部３１の代わりに、候補情報作成部（抑制内容情報作成部）３４および候補情報通知部（抑制内容情報通知部）３５をそれぞれ備える。
【０２５２】
図１６は、本発明の第２の実施の形態に係る電力管理システムにおける発電制御装置の構成を示す図である。
【０２５３】
図１６を参照して、発電制御装置２０２は、本発明の第１の実施の形態に係る需要家装置と比べて、候補情報取得部４１の代わりに、候補情報取得部（抑制内容情報取得部）５０を備える。
【０２５４】
図１７は、本発明の第２の実施の形態に係る電力管理装置における候補情報作成部が作成する候補情報の一例を示す図である。
【０２５５】
図１５および図１７を参照して、候補情報作成部３４は、たとえば、「プログラム」に含まれる文字列が発電制御装置２０２の候補ごとに異なる候補情報を作成する。
【０２５６】
具体的には、候補情報作成部３４は、たとえば、候補ＣＡ１すなわち「時間：１３−１４時，抑制内容：太陽光パネルＡ１からの出力量を定格出力の５０％まで抑制する」を含む候補情報ＣＩＡ１１を作成する。候補情報ＣＩＡ１１は、識別子である「イベント識別子：Ａ１」、および「プログラム：候補１」を含む。
【０２５７】
また、候補情報作成部３４は、たとえば、候補ＣＡ２すなわち「時間：１３−１４時，抑制内容：太陽光パネルＡ２からの出力量を定格出力の５０％まで抑制する」を含む候補情報ＣＩＡ１２を作成する。候補情報ＣＩＡ１２には、識別子である「イベント識別子：Ａ２」、および「プログラム：候補２」を含む。
【０２５８】
候補情報作成部３４は、作成した候補情報ＣＩＡ１１およびＣＩＡ１２を候補情報通知部３５および画面情報作成部３７へ出力する。
【０２５９】
また、候補情報作成部３４は、発電制御装置２０２Ｂに通知すべき候補情報ＣＩＢ１１〜ＣＩＢ１３も同様に作成し、作成した候補情報ＣＩＢ１１〜ＣＩＢ１３を候補情報通知部３５および画面情報作成部３７へ出力する。また、候補情報作成部３４は、発電制御装置２０２Ｃに通知すべき候補情報ＣＩＣ１１〜ＣＩＣ１３も同様に作成し、作成した候補情報ＣＩＣ１１〜ＣＩＣ１３を候補情報通知部３５および画面情報作成部３７へ出力する。
【０２６０】
候補情報通知部３５は、複数の候補をまとめて示す抑制内容情報を通知する。この場合、候補情報通知部３５は、候補情報作成部３４によって作成された複数の候補情報をまとめて通知する。具体的には、候補情報通知部３５は、たとえば、候補情報作成部３４によって作成された複数の候補情報を１つのパケットに含めて通知する。
【０２６１】
より詳細には、候補情報通知部３５は、候補情報作成部３４から候補情報ＣＩＡ１１，ＣＩＡ１３、ＣＩＢ１１〜ＣＩＢ１３およびＣＩＣ１１〜ＣＩＣ１３を受けると、受けた各候補情報を保持する。
【０２６２】
候補情報通知部３５は、たとえば、内容要求を発電制御装置２０２Ａから受けると、保持している候補情報ＣＩＡ１１およびＣＩＡ１２をまとめて発電制御装置２０２Ａへ通知する。また、候補情報通知部３５は、たとえば、内容要求を発電制御装置２０２Ｂから受けると、保持している候補情報ＣＩＢ１１〜ＣＩＢ１３をまとめて発電制御装置２０２Ｂへ通知する。また、候補情報通知部３５は、たとえば、内容要求を発電制御装置２０２Ｃから受けると、保持している候補情報ＣＩＣ１１〜ＣＩＣ１３をまとめて発電制御装置２０２Ｃへ通知する。
【０２６３】
再び図１６を参照して、以下、発電制御装置２０２Ｃにおける各構成要素および動作について説明するが、発電制御装置２０２Ｃ以外の発電制御装置２０２における各構成要素および動作についても同様である。
【０２６４】
候補情報取得部５０は、複数の候補をまとめて示す抑制内容情報を取得する。より詳細には、候補情報取得部５０は、たとえば、１回で通知された、抑制内容情報の示す複数の候補に対応する候補情報を取得する。すなわち、候補情報取得部５０は、抑制内容情報に含まれる複数の候補情報を１回で取得する。
【０２６５】
具体的には、候補情報取得部５０は、たとえば、内容要求を定期的に電力管理装置１０１へ通知し、当該内容要求の応答として候補情報ＣＩＣ１１〜ＣＩＣ１３を電力管理装置１０１から取得する。
【０２６６】
候補情報取得部４１は、たとえば、取得した候補情報ＣＩＣ１１〜ＣＩＣ１３を画面情報作成部４３、制御部４７および応答情報通知部４６へ出力する。
【０２６７】
効果情報取得部４２は、たとえば、効果情報の通知の要求を定期的に電力管理装置１０１へ通知し、当該要求の応答として効果情報ＥＩＣ１〜ＥＩＣ３を電力管理装置１０１から取得する。
【０２６８】
効果情報取得部４２は、たとえば、取得した効果情報ＥＩＣ１〜ＥＩＣ３を画面情報作成部４３へ出力する。
【０２６９】
画面情報作成部４３は、たとえば、候補情報取得部４１から受ける候補情報ＣＩＣ１１〜ＣＩＣ１３と効果情報取得部４２から受ける効果情報ＥＩＣ１〜ＥＩＣ３とを含む候補画面情報を作成し、作成した候補画面情報を画面情報通知部４４へ出力する。
【０２７０】
画面情報通知部４４は、たとえば、画面情報作成部４３から候補画面情報を受けると、受けた候補画面情報を保持する。
【０２７１】
画面情報通知部４４は、たとえば、候補画面情報の通知の要求を端末装置１７１から受けると、保持している候補画面情報を要求元の端末装置１７１へ通知する。
【０２７２】
再び図８を参照して、画面情報取得部６１は、たとえば、候補画面情報の通知の要求を定期的に発電制御装置２０２Ｃへ通知し、当該要求の応答として候補画面情報を発電制御装置２０２Ｃから取得する。画面情報取得部６１は、取得した候補画面情報を表示制御部６２へ出力する。
【０２７３】
図１８は、本発明の第２の実施の形態に係る電力管理システムの端末装置において表示される画面の一例を示す図である。
【０２７４】
図１８には、たとえば、発電制御装置２０２Ｃに通信接続されている端末装置１７１における表示部６３に表示される画面が示されている。図１８には、図１４に示す画面に対して、電力管理装置１０１が発電制御装置２０２Ｃから受信した応答情報の内容を含まない画面が示されている。
【０２７５】
表示制御部６２は、たとえば、画面情報取得部６１から候補画面情報を受けると、受けた候補画面情報を用いて、図１８に示す画面を表示部６３に表示させる。
【０２７６】
発電施設の管理者は、たとえば、表示部６３において表示されている候補１および候補３の発電抑制に参加しようとする場合、選択受け付け部６４を操作して候補１および候補３の発電抑制に参加する旨を入力する。また、発電施設の管理者は、たとえば、表示部６３において表示されている候補２の発電抑制に参加しない場合、選択受け付け部６４を操作して候補２の発電抑制に参加しない旨を入力する。
【０２７７】
選択受け付け部６４は、たとえば、発電施設の管理者の操作を受け付け、受け付けた操作の内容に基づいて選択結果情報を作成する。そして、選択受け付け部６４は、たとえば、作成した選択結果情報を選択結果通知部６５へ出力する。
【０２７８】
選択結果通知部６５は、選択受け付け部６４から選択結果情報を受けると、受けた選択結果情報を発電制御装置２０２Ｃへ通知する。
【０２７９】
再び図１６を参照して、発電制御装置２０２Ｃにおける選択結果取得部４５は、たとえば、端末装置１７１から選択結果情報を取得すると、取得した選択結果情報を応答情報通知部４６へ出力する。
【０２８０】
応答情報通知部４６は、たとえば、候補１および候補３の発電抑制に参加する旨、および候補２の発電抑制に参加しない旨を選択結果情報が示す場合、候補情報ＣＩＣ１１，ＣＩＣ１３の示す発電抑制への参加、および候補情報ＣＩＣ１２の示す発電抑制への不参加を示す応答情報を作成する。
【０２８１】
応答情報通知部４６は、作成した応答情報を制御部４７および画面情報作成部４３へ出力するとともに、応答情報を電力管理装置１０１へ通知する。
【０２８２】
再び図１５を参照して、電力管理装置１０１における候補情報通知部３５は、発電制御装置２０２Ｃから応答情報を取得すると、取得した応答情報に基づいて、発電制御装置２０２Ｃが、候補１および候補３の発電抑制に参加し、かつ候補２の発電抑制に参加しないことを認識する。
【０２８３】
また、候補情報通知部３５は、たとえば取得した応答情報を画面情報作成部３７へ出力する。
【０２８４】
［選択された候補の変更］
電力管理システム３０２は、発電施設の管理者により入力された複数の候補についての選択結果を変更することが可能である。
【０２８５】
再び図８を参照して、たとえば、発電施設の管理者は、選択受け付け部６４を操作して、候補１および候補３の発電抑制に参加し、かつ候補２の発電抑制に参加しない旨を入力した後、候補１の発電抑制には参加しないことに変更する場合、選択受け付け部６４を操作して、候補１の発電抑制に参加しない旨を入力する。
【０２８６】
選択受け付け部６４は、たとえば、発電施設の管理者の操作を受け付け、受け付けた操作の内容に基づいて選択結果情報を作成して選択結果通知部６５へ出力する。
【０２８７】
選択結果通知部６５は、選択結果通知部６５から選択結果情報を受けると、受けた選択結果情報を発電制御装置２０２Ｃへ通知する。
【０２８８】
再び図１６を参照して、発電制御装置２０２Ｃにおける選択結果取得部４５は、たとえば、端末装置１７１から選択結果情報を取得すると、取得した選択結果情報を応答情報通知部４６へ出力する。
【０２８９】
応答情報通知部４６は、たとえば、候補１の発電抑制に参加しない旨を選択結果情報が示す場合、候補情報ＣＩＣ１１の示す発電抑制への不参加を示す応答情報を作成する。
【０２９０】
応答情報通知部４６は、作成した応答情報を制御部４７および画面情報作成部４３へ出力するとともに、応答情報を電力管理装置１０１へ通知する。
【０２９１】
再び図１５を参照して、電力管理装置１０１における候補情報通知部３５は、発電制御装置２０２Ｃから応答情報を取得すると、取得した応答情報に基づいて、発電制御装置２０２Ｃが、候補１の発電抑制に参加しないことを認識する。
【０２９２】
また、候補情報通知部３５は、たとえば取得した応答情報を画面情報作成部３７へ出力する。
【０２９３】
また、電力管理システム３０２は、発電施設の管理者により入力された複数の候補についての選択結果の一部だけでなく当該選択結果の全部を変更することも可能である。
【０２９４】
［動作（その２）］
図１９は、本発明の第２の実施の形態に係る電力管理システムにおける候補選択処理のシーケンスの一例を示す図である。
【０２９５】
図１９では、たとえば、電力管理装置１０１および発電制御装置２０２Ｃ間における候補選択処理の詳細が示されている。
【０２９６】
まず、電力管理装置１０１は、図４に示す候補ＣＣ１、ＣＣ２およびＣＣ３を用いて、図１７に示す候補情報ＣＩＣ１１、ＣＩＣ１２およびＣＩＣ１３をそれぞれ作成する（ステップＳ３０２）。
【０２９７】
次に、電力管理装置１０１は、図５に示す候補ごとの抑制量を推定する（ステップＳ３０４）。
【０２９８】
次に、電力管理装置１０１は、候補ごとに推定した抑制量に基づいて、図５に示す候補ごとの報奨金を推定する（ステップＳ３０６）。
【０２９９】
次に、発電制御装置２０２Ｃは、内容要求を電力管理装置１０１へ送信する（ステップＳ３０８）。
【０３００】
次に、電力管理装置１０１は、発電制御装置２０２Ｃから内容要求を受信すると、受信した内容要求の応答としてたとえば候補情報ＣＩＣ１１、ＣＩＣ１２およびＣＩＣ１３を発電制御装置２０２Ｃへ送信する（ステップＳ３１０）。
【０３０１】
次に、発電制御装置２０２Ｃは、電力管理装置１０１から候補情報ＣＩＣ１１、ＣＩＣ１２およびＣＩＣ１３を受信すると、たとえば候補情報ＣＩＣ１１およびＣＩＣ１３の示す発電抑制への参加、ならびに候補情報ＣＩＣ１２の示す発電抑制への不参加を示す応答情報を電力管理装置１０１へ送信する（ステップＳ３１２）。
【０３０２】
次に、発電制御装置２０２Ｃは、たとえば発電施設の管理者による選択結果の一部を変更する操作に基づいて、候補情報ＣＩＣ１１の示す発電抑制への不参加を示す応答情報を電力管理装置１０１へ送信する（ステップＳ３１４）。
【０３０３】
次に、発電制御装置２０２Ｃは、たとえば発電施設の管理者による選択結果の全部を変更する操作に基づいて、候補情報ＣＩＣ１１およびＣＩＣ１２の示す発電抑制への参加、ならびに候補情報ＣＩＣ１３の示す発電抑制への不参加を示す応答情報を電力管理装置１０１へ送信する（ステップＳ３１６）。
【０３０４】
図１９に示す候補選択処理の例では、ステップＳ３１０の動作によって電力供給の抑制内容の複数の候補を示す抑制内容情報が発電制御装置２０２へ送信されている。
【０３０５】
以上のように、本発明の第２の実施の形態に係る発電制御装置２０２では、候補情報取得部５０は、複数の候補をまとめて示す抑制内容情報を取得する。
【０３０６】
このような構成により、たとえば、選択しなかった候補を再度取得して選択することができないシステムにおいても、複数の候補を一度に取得して発電施設の管理者にとって都合のよい抑制内容を選択することができる。これにより、電力供給の抑制への参加をより促進させることができる。
【０３０７】
その他の構成および動作は第１の実施の形態に係る電力管理システム３０１と同様であるため、ここでは詳細な説明を繰り返さない。
【０３０８】
次に、本発明の他の実施の形態について図面を用いて説明する。なお、図中同一または相当部分には同一符号を付してその説明は繰り返さない。
【０３０９】
＜第３の実施の形態＞
本実施の形態は、第１の実施の形態に係る電力管理システムと比べて複数の候補情報を発電制御装置２０２へ１回で送信可能な電力管理システムに関する。以下で説明する内容以外は第１の実施の形態に係る電力管理システムと同様である。
【０３１０】
図２０は、本発明の第３の実施の形態に係る電力管理システムにおける電力管理装置の構成を示す図である。
【０３１１】
［構成および基本動作（その３）］
図２０を参照して、本発明の第３の実施の形態に係る電力管理システム３０３における電力管理装置１０１は、本発明の第１の実施の形態に係る電力管理装置と比べて、候補情報作成部３０および候補情報通知部３１の代わりに、候補情報作成部（抑制内容情報作成部）３４および候補情報通知部（抑制内容情報通知部）３６をそれぞれ備える。候補情報作成部３４の動作は、図１５に示す電力管理装置１０１における候補情報作成部３４と同様である。
【０３１２】
図２１は、本発明の第３の実施の形態に係る電力管理システムにおける発電制御装置の構成を示す図である。
【０３１３】
図２１を参照して、発電制御装置２０２は、本発明の第１の実施の形態に係る発電制御装置と比べて、候補情報取得部４１の代わりに、候補情報取得部（抑制内容情報取得部）５１を備える。
【０３１４】
再び図２０を参照して、候補情報通知部３６は、複数の候補の一部を示す抑制内容情報を通知する。この場合、候補情報通知部３６は、候補情報作成部３４によって作成された１または複数の候補情報を通知する。より詳細には、候補情報通知部３６は、候補情報作成部３４から候補情報ＣＩＡ１１，ＣＩＡ１２，ＣＩＢ１１〜ＣＩＢ１３およびＣＩＣ１１〜ＣＩＣ１３を受けると、受けた各候補情報を保持する。
【０３１５】
候補情報通知部３６は、たとえば、内容要求を発電制御装置２０２Ａから受けると、保持している候補情報ＣＩＣ１１を発電制御装置２０２Ｃへ通知する。
【０３１６】
候補情報通知部３６は、たとえば、発電制御装置２０２Ｃから応答情報を取得すると、取得した応答情報を画面情報作成部３７へ出力するとともに、当該応答情報に対応する候補とは異なる候補を少なくとも示す抑制内容情報を通知する。
【０３１７】
具体的には、候補情報通知部３６は、たとえば、候補情報ＣＩＣ１１に対応する応答情報を受けた後、内容要求を発電制御装置２０２Ｃから受けると、保持している候補情報ＣＩＣ１１，ＣＩＡ１２をまとめて発電制御装置２０２Ｃへ通知する。
【０３１８】
候補情報通知部３６は、たとえば、候補情報ＣＩＣ１１，ＣＩＣ１２に対応する応答情報を受けた後、内容要求を発電制御装置２０２Ｃから受けると、保持している候補情報ＣＩＣ１１，ＣＩＣ１２，ＣＩＣ１３をまとめて発電制御装置２０２Ｃへ通知する。
【０３１９】
また、候補情報通知部３６は、たとえば、内容要求を発電制御装置２０２Ａまたは２０２Ｂから受ける場合においても、内容要求を発電制御装置２０２Ｃから受ける場合と同様の処理を行う。
【０３２０】
再び図２１を参照して、以下、発電制御装置２０２Ｃにおける各構成要素および動作について説明するが、発電制御装置２０２Ｃ以外の発電制御装置２０２における各構成要素および動作についても同様である。
【０３２１】
候補情報取得部５１は、複数の候補の一部を示す抑制内容情報を取得する。より詳細には、候補情報取得部５１は、たとえば、複数回に分けて通知された、抑制内容情報の示す複数の候補に対応する候補情報を取得する。たとえば、候補情報取得部５１は、まず、抑制内容情報に含まれる１つの候補情報を取得する。
【０３２２】
具体的には、候補情報取得部５０は、たとえば、内容要求を定期的に電力管理装置１０１へ通知し、当該内容要求の応答として候補情報ＣＩＣ１１を電力管理装置１０１から取得する。
【０３２３】
候補情報取得部４１は、たとえば、取得した候補情報ＣＩＣ１１を画面情報作成部４３、制御部４７および応答情報通知部４６へ出力する。
【０３２４】
効果情報取得部４２は、たとえば、効果情報の通知の要求を定期的に電力管理装置１０１へ通知し、当該要求の応答として効果情報ＥＩＣ１を電力管理装置１０１から取得する。
【０３２５】
効果情報取得部４２は、たとえば、取得した効果情報ＥＩＣ１を画面情報作成部４３へ出力する。
【０３２６】
画面情報作成部４３は、たとえば、候補情報取得部４１から受ける候補情報ＣＩＣ１１と効果情報取得部４２から受ける効果情報ＥＩＣ１とを含む候補画面情報を作成し、作成した候補画面情報を画面情報通知部４４へ出力する。
【０３２７】
画面情報通知部４４は、たとえば、画面情報作成部４３から候補画面情報を受けると、受けた候補画面情報を保持する。
【０３２８】
画面情報通知部４４は、たとえば、候補画面情報の通知の要求を端末装置１７１から受けると、保持している候補画面情報を要求元の端末装置１７１へ通知する。
【０３２９】
選択結果取得部４５は、たとえば、端末装置１７１から選択結果情報を取得すると、取得した選択結果情報を応答情報通知部４６へ出力する。
【０３３０】
応答情報通知部４６は、候補情報の示す一部の候補の選択結果を示す応答情報を通知する。より詳細には、応答情報通知部４６は、たとえば、候補１の発電抑制に参加する旨を選択結果情報が示す場合、候補情報ＣＩＣ１１の示す発電抑制への参加を示す応答情報を作成する。
【０３３１】
応答情報通知部４６は、作成した応答情報を制御部４７および画面情報作成部４３へ出力するとともに、応答情報を電力管理装置１０１へ通知する。
【０３３２】
候補情報取得部５１は、応答情報が通知された後、当該応答情報に対応する候補とは異なる候補を少なくとも示す抑制内容情報を取得する。ここでは、候補情報取得部５１は、当該応答情報に対応する候補情報ＣＩＣ１１とは異なる候補情報を少なくとも取得する。
【０３３３】
具体的には、候補情報取得部５０は、たとえば、内容要求を定期的に電力管理装置１０１へ通知し、当該内容要求の応答として候補情報ＣＩＣ１１，ＣＩＣ１２を電力管理装置１０１から取得する。
【０３３４】
候補情報取得部４１は、たとえば、取得した候補情報ＣＩＣ１１，ＣＩＣ１２を画面情報作成部４３、制御部４７および応答情報通知部４６へ出力する。
【０３３５】
効果情報取得部４２は、たとえば、効果情報の通知の要求を定期的に電力管理装置１０１へ通知し、当該要求の応答として効果情報ＥＩＣ１，ＥＩＣ２を電力管理装置１０１から取得する。
【０３３６】
効果情報取得部４２は、たとえば、取得した効果情報ＥＩＣ１，ＥＩＣ２を画面情報作成部４３へ出力する。
【０３３７】
画面情報作成部４３は、たとえば、候補情報取得部４１から受ける候補情報ＣＩＣ１１，ＣＩＣ１２と効果情報取得部４２から受ける効果情報ＥＩＣ１，ＥＩＣ２とを含む候補画面情報を作成し、作成した候補画面情報を画面情報通知部４４へ出力する。
【０３３８】
画面情報通知部４４は、たとえば、画面情報作成部４３から候補画面情報を受けると、受けた候補画面情報を保持する。
【０３３９】
画面情報通知部４４は、たとえば、候補画面情報の通知の要求を端末装置１７１から受けると、保持している候補画面情報を要求元の端末装置１７１へ通知する。
【０３４０】
選択結果取得部４５は、たとえば、端末装置１７１から選択結果情報を取得すると、取得した選択結果情報を応答情報通知部４６へ出力する。
【０３４１】
応答情報通知部４６は、抑制内容情報の示す一部の候補の選択結果を示す応答情報を通知する。より詳細には、応答情報通知部４６は、たとえば、候補１の発電抑制に参加する旨、および候補２の発電抑制に参加しない旨を選択結果情報が示す場合、候補情報ＣＩＣ１１の示す発電抑制への参加、および候補情報ＣＩＣ１２の示す発電抑制への不参加を示す応答情報を作成する。
【０３４２】
応答情報通知部４６は、作成した応答情報を制御部４７および画面情報作成部４３へ出力するとともに、応答情報を電力管理装置１０１へ通知する。
【０３４３】
候補情報取得部５１は、応答情報が通知された後、当該応答情報に対応する候補とは異なる候補を少なくとも示す抑制内容情報を取得する。ここでは、候補情報取得部５１は、当該応答情報に対応する候補情報ＣＩＣ１１，ＣＩＣ１２とは異なる候補情報を少なくとも取得する。
【０３４４】
具体的には、候補情報取得部５０は、たとえば、内容要求を定期的に電力管理装置１０１へ通知し、当該内容要求の応答として候補情報ＣＩＣ１１，ＣＩＣ１２，ＣＩＣ１３を電力管理装置１０１から取得する。
【０３４５】
候補情報取得部４１は、たとえば、取得した候補情報ＣＩＣ１１，ＣＩＣ１２，ＣＩＣ１３を画面情報作成部４３、制御部４７および応答情報通知部４６へ出力する。
【０３４６】
効果情報取得部４２は、たとえば、効果情報の通知の要求を定期的に電力管理装置１０１へ通知し、当該要求の応答として効果情報ＥＩＣ１，ＥＩＣ２，ＥＩＣ３を電力管理装置１０１から取得する。
【０３４７】
効果情報取得部４２は、たとえば、取得した効果情報ＥＩＣ１，ＥＩＣ２，ＥＩＣ３を画面情報作成部４３へ出力する。
【０３４８】
画面情報作成部４３は、たとえば、候補情報取得部４１から受ける候補情報ＣＩＣ１１，ＣＩＣ１２，ＣＩＣ１３と効果情報取得部４２から受ける効果情報ＥＩＣ１，ＥＩＣ２，ＥＩＣ３とを含む候補画面情報を作成し、作成した候補画面情報を画面情報通知部４４へ出力する。
【０３４９】
画面情報通知部４４は、たとえば、画面情報作成部４３から候補画面情報を受けると、受けた候補画面情報を保持する。
【０３５０】
画面情報通知部４４は、たとえば、候補画面情報の通知の要求を端末装置１７１から受けると、保持している候補画面情報を要求元の端末装置１７１へ通知する。
【０３５１】
選択結果取得部４５は、たとえば、端末装置１７１から選択結果情報を取得すると、取得した選択結果情報を応答情報通知部４６へ出力する。
【０３５２】
応答情報通知部４６は、たとえば、候補１および候補３の発電抑制に参加する旨、および候補２の発電抑制に参加しない旨を選択結果情報が示す場合、候補情報ＣＩＣ１１，ＣＩＣ１３の示す発電抑制への参加、および候補情報ＣＩＣ１２の示す発電抑制への不参加を示す応答情報を作成する。
【０３５３】
応答情報通知部４６は、作成した応答情報を制御部４７および画面情報作成部４３へ出力するとともに、応答情報を電力管理装置１０１へ通知する。
【０３５４】
また、電力管理システム３０３は、発電施設の管理者により入力された複数の候補についての選択結果の一部または全部を変更することが可能である。
【０３５５】
［動作（その３）］
図２２は、本発明の第３の実施の形態に係る電力管理システムにおける候補選択処理のシーケンスの一例を示す図である。
【０３５６】
図２２では、たとえば、電力管理装置１０１および発電制御装置２０２Ｃ間における候補選択処理の詳細が示されている。
【０３５７】
まず、電力管理装置１０１は、図４に示す候補ＣＣ１、ＣＣ２およびＣＣ３を用いて、図１７に示す候補情報ＣＩＣ１１、ＣＩＣ１２およびＣＩＣ１３をそれぞれ作成する（ステップＳ４０２）。
【０３５８】
次に、電力管理装置１０１は、図５に示す候補ごとの抑制量を推定する（ステップＳ４０４）。
【０３５９】
次に、電力管理装置１０１は、候補ごとに推定した抑制量に基づいて、図５に示す候補ごとの報奨金を推定する（ステップＳ４０６）。
【０３６０】
次に、発電制御装置２０２Ｃは、内容要求を電力管理装置１０１へ送信する（ステップＳ４０８）。
【０３６１】
次に、電力管理装置１０１は、発電制御装置２０２から内容要求を受信すると、受信した内容要求の応答としてたとえば候補情報ＣＩＣ１１を発電制御装置２０２Ｃへ送信する（ステップＳ４１０）。
【０３６２】
次に、発電制御装置２０２Ｃは、電力管理装置１０１から候補情報ＣＩＣ１１を受信すると、たとえば候補情報ＣＩＣ１１の示す発電抑制への参加を示す応答情報を電力管理装置１０１へ送信する（ステップＳ４１２）。
【０３６３】
次に、発電制御装置２０２Ｃは、内容要求を電力管理装置１０１へ送信する（ステップＳ４１４）。
【０３６４】
次に、電力管理装置１０１は、発電制御装置２０２Ｃから内容要求を受信すると、受信した内容要求の応答としてたとえば候補情報ＣＩＣ１１，ＣＩＣ１２を発電制御装置２０２Ｃへ送信する（ステップＳ４１６）。
【０３６５】
次に、発電制御装置２０２Ｃは、電力管理装置１０１から候補情報ＣＩＣ１１，ＣＩＣ１２を受信すると、たとえば候補情報ＣＩＣ１１の示す発電抑制への参加、および候補情報ＣＩＣ１２の示す発電抑制への不参加を示す応答情報を電力管理装置１０１へ送信する（ステップＳ４１８）。
【０３６６】
次に、発電制御装置２０２Ｃは、内容要求を電力管理装置１０１へ送信する（ステップＳ４２０）。
【０３６７】
次に、電力管理装置１０１は、発電制御装置２０２Ｃから内容要求を受信すると、受信した内容要求の応答としてたとえば候補情報ＣＩＣ１１，ＣＩＣ１２，ＣＩＣ１３を発電制御装置２０２Ｃへ送信する（ステップＳ４２２）。
【０３６８】
次に、発電制御装置２０２Ｃは、電力管理装置１０１から候補情報ＣＩＣ１１，ＣＩＣ１２，ＣＩＣ１３を受信すると、たとえば候補情報ＣＩＣ１１，ＣＩＣ１３の示す発電抑制への参加、および候補情報ＣＩＣ１２の示す発電抑制への不参加を示す応答情報を電力管理装置１０１へ送信する（ステップＳ４２４）。
【０３６９】
図２２に示す候補選択処理の例では、ステップＳ４１０、Ｓ４１６およびＳ４２２の動作によって電力供給の抑制内容の複数の候補を示す抑制内容情報が発電制御装置２０２へ送信されている。
【０３７０】
なお、発電制御装置２０２Ｃは、上記ステップＳ４１８において、候補情報ＣＩＣ１１の示す発電抑制への参加、および候補情報ＣＩＣ１２の示す発電抑制への不参加を示す応答情報を電力管理装置１０１へ送信する構成であるとしたが、これに限定するものではない。発電制御装置２０２Ｃは、上記ステップＳ４１８において、候補情報ＣＩＣ１１の示す発電抑制への参加を示す旨を含まない応答情報を電力管理装置１０１へ送信する構成であってもよい。
【０３７１】
また、発電制御装置２０２Ｃは、上記ステップＳ４２４において候補情報ＣＩＣ１１，ＣＩＣ１３の示す発電抑制への参加、および候補情報ＣＩＣ１２の示す発電抑制への不参加を示す応答情報を電力管理装置１０１へ送信する構成であるとしたが、これに限定するものではない。発電制御装置２０２Ｃは、上記ステップＳ４２４において、候補情報ＣＩＣ１１，ＣＩＣ１３の示す発電抑制への参加を示す旨を含まない応答情報を電力管理装置１０１へ送信する構成であってもよい。
【０３７２】
以上のように、本発明の第３の実施の形態に係る発電制御装置２０２では、候補情報取得部５１は、複数の候補の一部を示す抑制内容情報を取得する。応答情報通知部４６は、抑制内容情報の示す一部の候補の選択結果を示す応答情報を通知する。そして、候補情報取得部５１は、応答情報が通知された後、当該応答情報に対応する候補とは異なる候補を少なくとも示す抑制内容情報を取得する。
【０３７３】
このような構成により、前回取得された候補に新たな候補を加えた情報を取得することができるため、たとえば、選択しなかった候補を再度取得して選択することができないシステムにおいても、新たな候補を含む複数の候補を取得して発電施設の管理者にとって都合のよい抑制内容を選択することができる。これにより、電力供給の抑制への参加をより促進させることができる。
【０３７４】
その他の構成および動作は第１の実施の形態に係る電力管理システム３０１と同様であるため、ここでは詳細な説明を繰り返さない。
【０３７５】
なお、本発明の第１の実施の形態〜第３の実施の形態に係る各装置の構成要素および動作のうち、一部または全部を適宜組み合わせることも可能である。
【０３７６】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【０３７７】
以上の説明は、以下に付記する特徴を含む。
【０３７８】
［付記１］
発電装置の設けられた施設において用いられる施設側装置であって、
前記発電装置を用いた電力供給の抑制内容の複数の候補を示す抑制内容情報を取得する抑制内容情報取得部と、
前記抑制内容情報取得部によって取得された前記抑制内容情報の示す複数の候補の選択結果を示す応答情報を通知する応答情報通知部とを備え、
前記施設は、ビル、工場または一般家庭であり、
前記施設側装置は、計測装置および制御装置の機能を有し、
前記電力供給の抑制内容は、発電装置の電力の出力量の制御、ヒートポンプの制御、空調機の制御、蓄電池に充電される電力の制御、およびＥＶ（Ｅｌｅｃｔｒｉｃ  Ｖｅｈｉｃｌｅ）に充電される電力の制御の少なくともいずれか１つを含み、
前記抑制内容情報は、複数の前記候補をそれぞれ示す複数の候補情報を含み、
前記抑制内容情報取得部は、複数の前記候補情報を、１回で取得するか、または複数回に分けて取得し、
前記応答情報は、前記施設側装置が前記電力供給の抑制に参加するか否かを示し、
前記応答情報通知部は、前記抑制内容情報取得部による前記候補情報の取得に応答して前記応答情報を通知する、施設側装置。
【０３７９】
［付記２］
発電装置の設けられた施設における電力供給を管理する電力管理装置であって、
前記発電装置を用いた電力供給の抑制内容の複数の候補を示す抑制内容情報を作成する抑制内容情報作成部と、
前記抑制内容情報作成部によって作成された前記抑制内容情報を通知する抑制内容情報通知部とを備え、
前記施設は、ビル、工場または一般家庭であり、
前記電力管理装置は、ＤＲＡＳ（Ｄｅｍａｎｄ  Ｒｅｓｐｏｎｓｅ  Ａｕｔｏｍａｔｉｏｎ  Ｓｅｒｖｅｒ）であり、
前記電力供給の抑制内容は、発電装置の電力の出力量の制御、ヒートポンプの制御、空調機の制御、蓄電池に充電される電力の制御、およびＥＶ（Ｅｌｅｃｔｒｉｃ  Ｖｅｈｉｃｌｅ）に充電される電力の制御の少なくともいずれか１つを含み、
前記抑制内容情報は、複数の前記候補をそれぞれ示す複数の候補情報を含み、
前記抑制内容情報通知部は、複数の前記候補情報を、１回で通知するか、または複数回に分けて通知する、電力消費管理装置。
【０３８０】
［付記３］
発電装置の設けられた施設における電力供給を管理する電力管理装置と、
前記施設において用いられる施設側装置とを備え、
前記電力管理装置は、前記施設における電力供給の抑制内容の複数の候補を示す抑制内容情報を前記施設側装置へ送信し、
前記施設側装置は、前記抑制内容情報を前記電力管理装置から受信し、受信した前記抑制内容情報の示す複数の候補の選択結果を示す応答情報を前記電力管理装置へ送信し、
前記施設は、ビル、工場または一般家庭であり、
前記電力管理装置は、ＤＲＡＳ（Ｄｅｍａｎｄ  Ｒｅｓｐｏｎｓｅ  Ａｕｔｏｍａｔｉｏｎ  Ｓｅｒｖｅｒ）であり、
前記施設側装置は、計測装置および制御装置の機能を有し、
前記電力供給の抑制内容は、発電装置の電力の出力量の制御、ヒートポンプの制御、空調機の制御、蓄電池に充電される電力の制御、およびＥＶ（Ｅｌｅｃｔｒｉｃ  Ｖｅｈｉｃｌｅ）に充電される電力の制御の少なくともいずれか１つを含み、
前記抑制内容情報は、複数の前記候補をそれぞれ示す複数の候補情報を含み、
前記電力管理装置は、複数の前記候補情報を、１回で送信するか、または複数回に分けて送信し、
前記応答情報は、前記施設側装置が前記電力供給の抑制に参加するか否かを示し、
前記施設側装置は、前記電力管理装置からの前記候補情報の受信に応答して前記応答情報を送信する、電力管理システム。
【符号の説明】
【０３８１】
２２  電力管理情報取得部
２３  最適化条件設定部
２４  最適化部
２５  報奨金推定部
２６  抑制量推定部
２８  効果情報作成部
２９  効果情報通知部
３０，３４  候補情報作成部（抑制内容情報作成部）
３１，３５，３６  候補情報通知部（抑制内容情報通知部）
３２  結果取得部
３３  報奨金確定部
３７  画面情報作成部
３８  画面情報通知
４１，５０，５１  候補情報取得部（抑制内容情報取得部）
４２  効果情報取得部
４３  画面情報作成部
４４  画面情報通知部
４５  選択結果取得部
４６  応答情報通知部
４７  制御部
４８  抑制量算出部
４９  結果通知部
６１  画面情報取得部
６２  表示制御部
６３  表示部
６４  選択受け付け部
６５  選択結果通知部
１０１  電力管理装置
１１１  表示装置
１５１  系統側管理装置
１６１，１６２  データベース
１７１  端末装置
１８１  電力メータ
１８２  電流センサ
１８３  センサ
２０２  発電制御装置（施設側装置）
２０３  発電装置
２０４  電力関連機器
３０１，３０２，３０３  電力管理システム
【図１】
2017201847.tif 000003
【図２】
2017201847.tif 000004
【図３】
2017201847.tif 000005
【図４】
2017201847.tif 000006
【図５】
2017201847.tif 000007
【図６】
2017201847.tif 000008
【図７】
2017201847.tif 000009
【図８】
2017201847.tif 000010
【図９】
2017201847.tif 000011
【図１０】
2017201847.tif 000012
【図１１】
2017201847.tif 000013
【図１２】
2017201847.tif 000014
【図１３】
2017201847.tif 000015
【図１４】
2017201847.tif 000016
【図１５】
2017201847.tif 000017
【図１６】
2017201847.tif 000018
【図１７】
2017201847.tif 000019
【図１８】
2017201847.tif 000020
【図１９】
2017201847.tif 000021
【図２０】
2017201847.tif 000022
【図２１】
2017201847.tif 000023
【図２２】
2017201847.tif 000024